(57)【要約】【課題】  十分な引出長さの確保が可能で、空間効率性に優れ、長い引出長さにも関わらず、耐久性に優れた冷蔵庫の二重引出しを提供すること。【解決手段】  本発明による冷蔵庫の二重引出しは、所定の空間が形成され、食べ物を収納する主引出しと、前記主引出しを収容する空間が内部に形成され、前記主引出しを前後にスライド可能に案内する引出レールとを備え、前記主引出しの引出/引込を可能にする補助引出しと、前記冷蔵庫本体の内側に設けられ,前記補助引出しを前後にスライド可能に案内するガイドレールとを含むことを特徴とする。本発明によると、主引出しの引出長さを十分に確保すると共に、その引出長さの確保にも関わらず、その引出長さ及び主引出しに収納された食べ物などによるモーメントに耐え、耐久性に優れるという効果を有する。【選択図】      図４
2006078168.tif 000002
【特許請求の範囲】
【請求項１】
所定の空間が形成され、食べ物を収納する主引出しと、
前記主引出しを収容する空間が内部に形成され、前記主引出しを前後にスライド可能に案内する引出レールとを備え、前記主引出しの引出/引込を可能にする補助引出しと、
前記冷蔵庫本体の内側に設けられ、前記補助引出しを前後にスライド可能に案内するガイドレールとを含むことを特徴とする冷蔵庫の二重引出し。
【請求項２】
前記主引出しは、前記引出レールに沿って転がり運動を行う転がり部材を両側面に備え、前記主引出しの円滑なスライドを可能にすることを特徴とする請求項１に記載の冷蔵庫の二重引出し。
【請求項３】
前記引出レールの両側端部には、前記転がり部材の係合を許容する窪み型の係合部がさらに設けられていることを特徴とする請求項２に記載の冷蔵庫の二重引出し。
【請求項４】
前記係合部が主引出しまたは補助引出しに加えられる所定の引出/引込力に対して前記転がり部材の転がり運動及びこれによる主引出しのスライド移動を制限するように設けられるが、前記引込/引出力の大きさが前記補助引出しをスライド可能にする大きさで決定されていて、前記主引出しと補助引出しとの順次のスライド移動を可能にすることを特徴とする請求項３に記載の冷蔵庫の二重引出し。
【請求項５】
前記引出レールは、前記補助引出しに一体に形成されていることを特徴とする請求項１に記載の冷蔵庫の二重引出し。
【請求項６】
前記補助引出しは、前記ガイドレールに沿って転がり運動を行い、前記補助引出しの円滑なスライドを可能にする転がり部材を両側面に備えていることを特徴とする請求項１に記載の冷蔵庫の二重引出し。
【請求項７】
前記主引出しは、前記引出レールに沿って転がり運動を行い、前記主引出しの円滑なスライドを可能にする第１の転がり部材を両側面に備え、前記補助引出しは、前記ガイドレールに沿って転がり運動を行い、前記補助引出しの円滑なスライドを可能にする第２の転がり部材を両側面に備えていることを特徴とする請求項１に記載の冷蔵庫の二重引出し。
【請求項８】
前記補助引出しの両側面の後上端に転がり部材が設けられていることを特徴とする請求項６または７に記載の冷蔵庫の二重引出し。
【請求項９】
前記補助引出しの両側壁には、前記ガイドレールにスライド可能に取り付けられ、前記補助引出しのスライドを案内するスライドガイドが突設されていることを特徴とする請求項１に記載の冷蔵庫の二重引出し。
【請求項１０】
前記スライドガイドと対応する位置で補助引出しの両側面には、前記ガイドレールに沿って転がり運動を行い、前記補助引出しの円滑なスライドを可能にする転がり部材が設けられていることを特徴とする請求項９に記載の冷蔵庫の二重引出し。
【請求項１１】
前記引出レールは、前記補助引出しの内側面で前記第２の転がり部材の下側に設けられていることを特徴とする請求項７に記載の冷蔵庫の二重引出し。
【請求項１２】
前記引出レールの一側は、上方に開口していることを特徴とする請求項２に記載の冷蔵庫の二重引出し。
【請求項１３】
前記補助引出しは、前面と上面とが開口されたボックス形であることを特徴とする請求項１に記載の冷蔵庫の二重引出し。
【請求項１４】
前記補助引出しは、両側壁を横切って形成された一つ以上の連結部により両側壁が連結されて形成されていることを特徴とする請求項１に記載の冷蔵庫の二重引出し。
【請求項１５】
前記連結部は、前記補助引出しの後面に設けられていることを特徴とする請求項１４に記載の冷蔵庫の二重引出し。
【請求項１６】
前記連結部は、前記補助引出しの底面に設けられていることを特徴とする請求項１４に記載の冷蔵庫の二重引出し。
【請求項１７】
前記補助引出しは、両側面と底面の一側を除いた何れかの面が開口するように形成されていることを特徴とする請求項１５または１６に記載の冷蔵庫の二重引出し。
【請求項１８】
前記補助引出しは、両側面と後面の一側を除いた何れかの面が開口するように形成されていることを特徴とする請求項１５または１６に記載の冷蔵庫の二重引出し。
【請求項１９】
前記引出レールは、前記補助引出しの後端部から前端部まで延長して形成され、前記引出レールには、前記転がり部材の挿入のために、前方が開口された転がり部材挿入口が形成されていて、前記主引出しの前方への挿入を案内することを特徴とする請求項２に記載の冷蔵庫の二重引出し。
【請求項２０】
前記引出レールは、段差を有して形成され、上段の底面が下段の上面よりも高い位置に形成されていることを特徴とする請求項１９に記載の冷蔵庫の二重引出し。
【請求項２１】
前記引出レールは、前記補助引出しの両側壁の後端部から少なくとも中央部まで延長して形成され、前記転がり部材の移動をガイドする移動部と、
前記移動部の延長された端部から上方に垂直に形成され、前記主引出しの取り外しを防止する垂直部と、
前記垂直部の上端から前記補助引出しの両側壁の前端部まで延長して形成され、転がり部材の挿入通路となる挿入部とを有することを特徴とする請求項１９に記載の冷蔵庫の二重引出し。
【請求項２２】
前記主引出しには、強度を補強する補強リブがさらに設けられていることを特徴とする請求項１に記載の冷蔵庫の二重引出し。
【請求項２３】
前記補強リブは、前記主引出しの下面に前後方向に複数設けられていることを特徴とする請求項２２に記載の冷蔵庫の二重引出し。
【請求項２４】
前記補強リブは、前記主引出しの底面から下方に突設されていることを特徴とする請求項２２に記載の冷蔵庫の二重引出し。
【請求項２５】
前記補強リブの下端は、前記補助引出しと接してスライドすることを特徴とする請求項２４に記載の冷蔵庫の二重引出し。
【請求項２６】
前記補助引出しの側面には、補助引出しの前後移動を容易にする転がり部材と前記補助引出しの前後移動をガイドするスライドガイドとを備え、前記ガイドレールには、前記転がり部材及び前記スライドガイドを同時に収容してこれをスライド可能に案内する収容部が前後に設けられていることを特徴とする請求項１に記載の冷蔵庫の二重引出し。
【請求項２７】
前記収容部と前記スライドガイドとには、相互に対応する形状から形成され、相互に対して係合するレール係止突起とガイド係止突起とが設けられていることを特徴とする請求項２６に記載の冷蔵庫の二重引出し。
【請求項２８】
前記レール係止突起は、前記収容部の先端に設けられていることを特徴とする請求項２７に記載の冷蔵庫の二重引出し。
【請求項２９】
前記主引出しと補助引出しとの少なくとも何れか一側には、主引出しと補助引出しとの衝突時の衝撃を緩和する緩衝部材が設けられていることを特徴とする請求項１に記載の冷蔵庫の二重引出し。
【請求項３０】
前記緩衝部材は、前記補助引出しの前端部に設けられていることを特徴とする請求項２９に記載の冷蔵庫の二重引出し。
【請求項３１】
前記緩衝部材は、弾性を有する材料からなることを特徴とする請求項２９に記載の冷蔵庫の二重引出し。
【請求項３２】
前記緩衝部材は、ゴム材からなることを特徴とする請求項３１に記載の冷蔵庫の二重引出し。
【請求項３３】
前記引出レールは、前記補助引出しの側壁を貫通して形成された開口型の引出レールからなり、前記主引出しの両側には、前記開口型の引出レールに挿入されてスライドするスライド部材が設けられていることを特徴とする請求項１に記載の冷蔵庫の二重引出し。
【請求項３４】
前記開口型の引出レールは、前記補助引出しの後端部から少なくとも中央部まで開口していることを特徴とする請求項３３に記載の冷蔵庫の二重引出し。
【請求項３５】
前記開口型の引出レールの両側の端部には、下方に前記スライド部材の大きさよりも少し大きく窪んで形成された係合部が設けられていることを特徴とする請求項３３に記載の冷蔵庫の二重引出し。
【請求項３６】
前記係合部が主引出しまたは補助引出しに加えられる所定の引出/引込力に対して前記スライド部材及び主引出しのスライド移動を制限するように設けられるが、前記引込/引出力の大きさが前記補助引出しをスライド可能にする大きさで決定されていて、前記主引出しと補助引出しとの順次のスライド移動を可能とすることを特徴とする請求項３５に記載の冷蔵庫の二重引出し。
【請求項３７】
前記開口型の引出レールの後端部が上方に開口され、前記スライド部材の挿入通路となる挿入部を有することを特徴とする請求項３３に記載の冷蔵庫の二重引出し。
【請求項３８】
冷蔵庫本体の一側に設けられ、前記補助引出しから取り外された主引出しの引出/引込を案内する補助レールをさらに有することを特徴とする請求項１に記載の冷蔵庫の二重引出し。
【請求項３９】
前記主引出しは、前記補助引出しから選択的に取り外されて、前記補助レールに取り付けることが可能であり、前記補助引出しの一側には補助引出しドアが設けられ、前記補助引出しの一側面を選択的に遮蔽して前記補助引出し内に別の収納空間を形成することを特徴とする請求項３８に記載の冷蔵庫の二重引出し。
【請求項４０】
前記補助引出しの一側には前記補助引出しドアが収納され、前方に引出可能にガイドするドアガイドがさらに設けられていることを特徴とする請求項３９に記載の冷蔵庫の二重引出し。
【請求項４１】
前記補助引出しドアは、前記補助引出しを遮蔽するときには、前方に引出され、上方に回動して取り付けられ、前記補助引出しを開放するときには、前記補助引出しの底面に取り付けられることを特徴とする請求項３９に記載の冷蔵庫の二重引出し。
【請求項４２】
前記引出レールは、上部引出レールと下部引出レールとからなり、前記主引出しは、前記上部引出レールと前記下部引出レールとに選択的に取り付け可能であることを特徴とする請求項１に記載の冷蔵庫の二重引出し。
【請求項４３】
前記主引出しの両側面には、前記上部引出レールと下部引出レールとの一側と接触して転がり運動を行い得る転がり部材またはスライド部材が設けられていることを特徴とする請求項４２に記載の冷蔵庫の二重引出し。
【請求項４４】
前記上部引出レールの後端部には、前記転がり部材またはスライド部材の挿入通路となる上部挿入部が形成され、前記下部引出レールの前端部には、前記転がり部材またはスライド部材の他の挿入通路となる下部挿入部が形成されていることを特徴とする請求項４３に記載の冷蔵庫の二重引出し。
【請求項４５】
前記下部引出レールは、前記補助引出しの両側壁の前端部から後端部まで延長して形成されていることを特徴とする請求項４２に記載の冷蔵庫の二重引出し。
【請求項４６】
前記補助引出しの一側には、前記補助引出しの内部空間を仕切る仕切り板がさらに設けられていることを特徴とする請求項１に記載の冷蔵庫の二重引出し。
【請求項４７】
前記主引出しの底面の前端部から後端部までの長さが前記補助引出しの底面の前端部から仕切り板までの長さと同様であるか、少し大きく形成されていることを特徴とする請求項４６に記載の冷蔵庫の二重引出し。
【請求項４８】
前記引出レールは、前記補助引出しの両側壁の一側から前端部まで設けられていることを特徴とする請求項４６に記載の冷蔵庫の二重引出し。
【請求項４９】
前記引出レールの前端部が開口され、前記主引出しの両側に設けられた転がり部材またはスライド部材の挿入通路となる挿入口が形成されていることを特徴とする請求項４８に記載の冷蔵庫の二重引出し。
【請求項５０】
前記引出レールの一側には、上方に突設され、前記主引出しの両側に設けられた転がり部材またはスライド部材の引出を制限する係止部が設けられていることを特徴とする請求項４８に記載の冷蔵庫の二重引出し。
【請求項５１】
前記引出レールと前記転がり部材とは同じ材料からなることを特徴とする請求項２に記載の冷蔵庫の二重引出し。
【請求項５２】
前記ガイドレールと前記転がり部材とは同じ材料からなることを特徴とする請求項５１に記載の冷蔵庫の二重引出し。
【請求項５３】
前記主引出しと、補助引出しと、ガイドレールとは、射出成形により作製されていることを特徴とする請求項５１または５２に記載の冷蔵庫の二重引出し。
【発明の詳細な説明】
【技術分野】
【０００１】
本発明は、冷蔵庫の引出しに関し、より詳しくは、食べ物を保存する主引出しの引出を補助する引出レールを備えた補助引出しと前記補助引出しの引出を補助するガイドレールを備えた冷蔵庫の二重引出しに関する。
【背景技術】
【０００２】
一般に、冷蔵庫は、食品の低温貯蔵のための装置であり、保存しようとする食品の状態により、冷凍または冷蔵して保存する。冷蔵庫の内部を循環する冷気は、冷媒の熱交換作用により生成され、圧縮-凝縮-膨張-蒸発のサイクルを反復的に行うことにより持続的に冷蔵庫の内部に供給され、冷媒の熱交換により生成する冷気は、対流により冷蔵庫内部に均一に伝達され、冷蔵庫内部の食べ物を所望の温度で貯蔵することが可能となる。
【０００３】
図１は、従来技術による冷蔵庫の引出し式ドアの開放状態を示す斜視図であり、図面を参照して、冷蔵庫本体１は、ほぼ直六面体状からなり、前記本体１の上部には、左右に選択的に開閉可能な回転式ドア１０が設けられ、下部には、前後方にスライドしながら引出/引込可能な引出し式ドア１２が設けられる。
【０００４】
そして、図示していないが、前記冷蔵庫本体１の内部には、様々な食べ物を冷蔵または冷凍保存するために、冷蔵室と冷凍室とが設けられ、それぞれの冷蔵室と冷凍室との内部には、様々な食べ物の特性に合わせた様々な棚、引出し及びトレイなどが設けられる。
【０００５】
前記それぞれの冷蔵室と冷凍室でも位置によって温度が異なるが、それぞれの空間を仕切る棚、引出し、及びトレイなどにより前記本体１の内部の冷気の対流が調節され、位置による温度調節が可能となる。一般に、冷蔵庫は、本体１の下方に行くにつれて冷気の伝達が不足となり、相対的に温度が高くなる。
【０００６】
ところで、前記冷蔵庫本体１の下部には、引出し式ドア１２により引出され/引込まれる一方、食べ物を貯蔵する空間を形成する引出し室２０が設けられる。前記引出し室２０は、通常、肉類や魚類、あるいは長期間の保存を必要とする食べ物が保存され、大きさの大きい食べ物から小さい食べ物まで様々に保存できるように大きさの異なる複数の収納空間で構成される。
【０００７】
前記引出し室２０には、比較的大きい食べ物を保存するための貯蔵ボックス３０と、前記貯蔵ボックス３０に保存される食べ物よりも小さい食べ物を保存するための引出し４０とが設けられる。前記貯蔵ボックス３０には、冷凍保存が必要な食べ物の中で大きさの大きい食べ物や分類する必要がない食べ物が保存される。
【０００８】
前記貯蔵ボックス３０は、前記引出し式ドア１２の下側とヒンジ結合され、前記引出し式ドア１２を前方に引っ張ると、前記引出し式ドア１２と共に前方に引出される。よって、ユーザは、前記引出し式ドア１２の引出のみで前記貯蔵ボックス３０の内部の認識が可能となり、追加の操作無しに前記貯蔵ボックス３０を引出/引込ませることが可能となる。
【０００９】
また、前記貯蔵ボックス３０の両側面の上端は、３段からなるレール５０の一側に固定され、前記レール５０の他側は、冷蔵庫本体１の内部の両側面に固定される。よって、前記貯蔵ボックス３０は、前記引出し式ドア１２と連動して前記レール５０によりガイドされながら引出され/引込まれることが可能である。
【００１０】
一方、前記貯蔵ボックス３０の上端には、引出し４０が設けられるが、前記引出し４０を図２を参照してより詳しく説明すると、前記引出し４０は、複数のワイヤが交差、折り曲げられて引出し状に形成される。
【００１１】
前記引出し４０の上方は、開口しており、前記引出し４０の前面には、前記引出し４０の前面の外観の一部を形成する前面プレート４２が設けられる。また、前記引出し４０の両側面の上端には、後述する第２の移動レール５４”の固定されるレール取り付けブラケット４４が設けられる。
【００１２】
前記引出し４０は、３段からなるレール５０に沿って前後にスライドしながら引出され/引込まれ、ユーザの所望の食べ物を貯蔵することを可能とする。また、前記レール５０は、動かずに固定される固定レール５２と、前後方にスライドしながら移動する移動レール５４とから構成される。
【００１３】
前記固定レール５２は、冷蔵庫本体１の内側、すなわち、前記引出し室２０の内側の左右壁面に横方向に長く設けられ、前記移動レール５４がスライドするガイドとして機能する。
【００１４】
より詳しくは、前記固定レール５２の内側に前記移動レール５４が取り付けられると、前記移動レール５４に設けられた転がり部材と、前記固定レール５２の一側面とが相互に当接することになり、前記移動レール５４が固定レール５２に沿ってスライドすることになる。
【００１５】
一方、前記移動レール５４は、第１の移動レール５４´と、第２の移動レール５４”とから構成される。第１の移動レール５４´は、前記固定レール５２に取り付けられ、前記固定レール５２に沿って前方にスライド可能に設けられ、第２の移動レール５４”は、前記第１の移動レール５４´に取り付けられ、前方にスライド可能に設けられる。
【００１６】
このとき、前記第１の移動レール５４´と、第２の移動レール５４”とには、転がり部材が設けられている。また、前記転がり部材は、前記第１の移動レール５４´をガイドする固定レール５２と、前記第２の移動レール５４”をガイドする第１の移動レール５４´の一側とそれぞれ接触しながら転がり運動を行う。
【００１７】
前記第２の移動レール５４”は、前記レール取り付けブラケット４４に固定され、前記引出し４０が前記レール５０に沿って前後方向にスライド可能となる。また、前記レール５０の引出長さにより前記引出し４０が外部に引出される程度が決定され、これにより、前記引出し４０の大きさが決定される。
【００１８】
しかし、このように構成される冷蔵庫の引出しには、次のような問題点があった。
【００１９】
すなわち、従来の冷蔵庫引出しは、第１の移動レール５４´と、第２の移動レール５４”と、固定レール５２とからなるレール５０が同一線上で連続してスライドしながら引出されるとき、引出し４０のそのものに収納された食べ物の重さや前記レール５０の引出長さによりモーメントを発生させる。
【００２０】
従って、引出長さが長くなるか、食べ物の量が多くなると、レール５０に作用するモーメントが大きくなり、前記引出し４０を支持するレール５０に過度な荷重を発生させ、これは、前記レール５０を破損し、そのレール５０が元の機能を果たせなくなるという問題点があった。
【００２１】
また、引出長さを短くしてモーメントを低減すると、外部に引出される前記引出し４０の大きさもそれに比例して小さくなり、これにより、前記引出し４０に収容できる食べ物の量が減少し、非効率的であるだけでなく、引出し４０の後方の引出し室２０の内部空間を使用することができなくなり、内部の貯蔵空間の活用性が低下するという問題点があった。
【００２２】
前記引出し４０を引出すためのレール５０は、第１の移動レール５４´と、第２の移動レール５４”と、固定レール５２とから構成され、前記レール５０を引出し４０に固定するためのレール取り付けブラケット４４が前記引出し４０にさらに設けれる。また、前記レール５０は、金属材料からなるものであるが、前記レール５０に取り付けられる転がり部材は、他の材料からなるものである。
【００２３】
よって、前記引出し４０の作動のために構成される構成品が必要以上に多くなり、それぞれを構成する構成品の種類も異なるだけでなく、それぞれの加工工程も異なり、製品を製作するに必要な全体の作業工数が増加し、生産コストの上昇は勿論、全体の生産性が低下するという問題点があった。
【００２４】
そして、前記引出し４０は、前記レール５０に取り付けられ、一度に前記引出し室２０に設けられ、取り外しを防止するために容易に取り外れないように設けられる。これにより、掃除や整備などのために、前記引出し４０を取り外そうとするときには、前記引出し４０と前記レール５０との全体の取り付けを取り外す必要があり、管理及びサービスの点で多くの問題点があった。
【００２５】
また、前記引出し４０は、前記第１の移動レール５４´と、第２の移動レール５４”と、固定レール５２とにより前後方向に移動するが、このとき、前記第１の移動レール５４´と、第２の移動レール５４”とのスライド順が決められていないことから、ユーザが引出し４０を使用するに当たって、多くの煩わしさを引き起こすという問題点があった。
【００２６】
また、前記引出し４０は、その両側面のガイドレール（図示せず）により案内され、前後に移動するが、前記引出し４０が閉鎖される場合に、引出し４０の先端部が冷蔵庫の先端部などに衝突し、騒音が発生したり、引出し４０が破損したりする問題点があった。
【００２７】
前記第１の移動レール５４´と、第２の移動レール５４”と、固定レール５２とから構成されたレール５０は、それぞれが取り付けられた一体型であり、取り外しが難しく、前記引出し４０の取り付け位置は固定され、これにより、前記引出し４０を用いて前記引出し室２０の空間構成を調節することが不可能となる。従って、前記引出し室２０で多様な条件の食べ物を収納するための弾力的な収納環境の造成が難しくなるだけでなく、前記引出し室２０の空間活用性が低下するという問題があった。
【発明の開示】
【発明が解決しようとする課題】
【００２８】
本発明は、上記問題点に鑑みなされたものであり、主引出しと、前記主引出しの引出を補助する引出レールが設けられた補助引出しと、前記補助引出しの引出を補助するガイドレールとを備え、十分な引出長さの確保が可能であり、空間効率性に優れ、長い引出長さにも関わらず、耐久性に優れた冷蔵庫の二重引出しを提供することを目的とする。
【００２９】
また、本発明は、主引出しと、前記主引出しの引出を補助する引出レールが設けられた補助引出しと、前記補助引出しの引出を補助するガイドレールとを備えており、取り付け・取り外しが容易であり、掃除または管理などが容易となる冷蔵庫の二重引出しを提供することを他の目的とする。
【００３０】
また、本発明は、主引出しと、補助引出しと、ガイドレールとを備えており、主引出しの強度が大きく向上した冷蔵庫の二重引出しを提供することをさらに他の目的とする。
【００３１】
また、本発明は、主引出しと、補助引出しと、ガイドレールとを備えており、主引出しと補助引出しとの衝突による衝撃を緩和できる冷蔵庫の二重引出しを提供することをさらに他の目的とする。
【００３２】
また、本発明は、主引出しと、補助引出しと、ガイドレールとを備えており、主引出しが補助引出しに取り外し可能に取り付けられ、その主引出しが補助引出しの上部引出レール及び下部引出レールに選択的に取り付けることができ、冷蔵庫本体内での空間効率性が大きく向上した冷蔵庫の二重引出しを提供することをさらに他の目的とする。
【００３３】
また、本発明は、主引出しと、補助引出しと、ガイドレールとを備えており、補助引出しによる空間活用性が大きく向上した冷蔵庫の二重引出しを提供することをさらに他の目的とする。
【課題を解決するための手段】
【００３４】
上記の目的を達成するため、本発明による冷蔵庫の二重引出しは、所定の空間が形成され、食べ物を収納する主引出しと、前記主引出しを収容する空間が内部に形成され、前記主引出しを前後にスライド可能に案内する引出レールとを備え、前記主引出しの引出/引込を可能にする補助引出しと、前記冷蔵庫本体の内側に設けられ、前記補助引出しを前後にスライド可能に案内するガイドレールとを含むことを特徴とする。
【００３５】
本発明の一実施例によれば、前記主引出しは、前記引出レールに沿って転がり運動を行う転がり部材を両側面に備え、前記主引出しの円滑なスライドを可能にし、前記引出レールの両側端部には、前記転がり部材の係合を許容する窪み型の係合部がさらに設けられる。より好ましくは、前記係合部が主引出しまたは補助引出しに加えられる所定の引出/引込力に対して前記転がり部材の転がり運動及びこれによる主引出しのスライド移動を制限するように設けられ、前記引込/引出力の大きさが前記補助引出しをスライド可能にする大きさで決定され、前記主引出しと補助引出しとの順次のスライド移動を可能とする。
【００３６】
また、前記補助引出しは、前記ガイドレールに沿って転がり運動を行い、前記補助引出しの円滑なスライドを可能にする転がり部材を両側面に備え、前記主引出しは、前記引出レールに沿って転がり運動を行い、前記主引出しの円滑なスライドを可能にする第１の転がり部材を両側面に備え、前記補助引出しは、前記ガイドレールに沿って転がり運動を行い、前記補助引出しの円滑なスライドを可能にする。
【００３７】
また、前記補助引出しの両側壁には、前記ガイドレールにスライド可能に取り付けられ、前記補助引出しのスライドを案内するスライドガイドが突設される。より好ましくは、前記スライドガイドと対応する位置で補助引出しの両側面には、前記ガイドレールに沿って転がり運動を行い、前記補助引出しの円滑なスライドを可能とする転がり部材が設けられる。
【００３８】
本発明の一実施例によれば、前記補助引出しは、前面と上面とが開口されたボックス形である。
【００３９】
本発明の他の実施例により、前記補助引出しは、両側壁を横切って形成された一つ以上の連結部により両側壁が連結されて形成されてもよい。このとき、前記連結部は、前記補助引出しの後面に設けられたり、前記補助引出しの底面に設けられたりしてもよいし、かつ、前記補助引出しは、両側面と底面の一側を除いた何れかの面が開口するように形成されたり、両側面と後面の一側を除いた何れかの面が開口するように形成されてもよい。
【００４０】
本発明の他の実施例によれば、前記引出レールは、前記補助引出しの後端部から前端部まで延長して形成され、前記引出レールには、前記転がり部材の挿入のために、前方が開口された転がり部材挿入口が形成され、前記主引出しの前方への挿入を案内する。このとき、前記引出レールは、段差を有して形成され、上段の底面が下段の上面よりも高い位置に形成されることが好ましい。より好ましくは、前記引出レールは、前記補助引出しの両側壁の後端部から少なくとも中央部まで延長して形成され、前記転がり部材の移動をガイドする移動部と、前記移動部の延長された端部から上方に垂直に形成され、前記主引出しの取り外しを防止する垂直部と、前記垂直部の上端から前記補助引出しの両側壁の前端部まで延長して形成され、転がり部材の挿入通路となる挿入部とを備えている。
【００４１】
本発明のさらに他の実施例により、前記主引出しには、強度を補強する補強リブがさらに設けられてもよいし、前記補強リブは、前記主引出しの下面に前後方向に複数設けられ、前記主引出しの底面から下方に突設され、前記補強リブの下端は、前記補助引出しと接してスライドすることが可能である。
【００４２】
本発明のさらに他の実施例によれば、前記補助引出しの側面は、補助引出しの前後移動を容易にする転がり部材と前記補助引出しの前後移動をガイドするスライドガイドとを備え、前記ガイドレールには、前記転がり部材及び前記スライドガイドを同時に収容してこれをスライド可能に案内する収容部が前後に設けられる。
【００４３】
このとき、前記収容部と前記スライドガイドとには、相互に対応する形状から形成され、相互に対して係合するレール係止突起とガイド係止突起とが設けられることが好ましく、特に、前記レール係止突起は、前記収容部の先端に設けられることが好ましい。
【００４４】
本発明のさらに他の実施例によれば、前記主引出しと補助引出しとの少なくとも何れか一側には、主引出しと補助引出しとの衝突時の衝撃を緩和する緩衝部材が設けられる。前記緩衝部材は、前記補助引出しの前端部に設けられることが好ましく、弾性を有する材料、特に、ゴム材からなるものが好ましい。
【００４５】
本発明のさらに他の実施例によれば、前記引出レールは、前記補助引出しの側壁を貫通して形成された開口型の引出レールからなり、前記主引出しの両側には、前記開口型の引出レールに挿入されてスライドするスライド部材が設けられる。このとき、前記開口型の引出レールは、前記補助引出しの後端部から少なくとも中央部まで開口されていることが好ましい。また、前記開口型の引出レールの両側の端部には、下方に前記スライド部材の大きさよりも少し大きく窪んで形成された係合部が設けられることが好ましい。より好ましくは、前記係合部が主引出しまたは補助引出しに加えられる所定の引出/引込力に対して前記スライド部材及び主引出しのスライド移動を制限するように設けられるが、前記引込/引出力の大きさが前記補助引出しをスライド可能にする大きさで決定され、前記主引出しと補助引出しとの順次のスライド移動を可能とする。更に前記開口型の引出レールの後端部が上方に開口され、前記スライド部材の挿入通路となる挿入部を設けることが好ましい。
【００４６】
本発明の他の実施例による冷蔵庫の二重引出しは、冷蔵庫本体の一側に設けられ、前記補助引出しから取り外された主引出しの引出/引込を案内する補助レールをさらに備える。このとき、前記主引出しは、前記補助引出しから選択的に取り外され、前記補助レールに取り付けることが可能であり、前記補助引出しの一側には、補助引出しドアが設けられ、前記補助引出しの一側面を選択的に遮蔽して補助引出し内に別の収納空間を形成することが好ましい。
【００４７】
本発明のさらに他の実施例によれば、前記補助引出しの一側には、前記補助引出しドアが収納され、前方に引出可能にガイドするドアガイドがさらに設けられる。このとき、前記補助引出しドアは、前記補助引出しを遮蔽するときには、前方に引出され、上方に回動して取り付けられ、前記補助引出しを開放するときには、前記補助引出しの底面に取り付けられることが好ましい。
【００４８】
本発明のさらに他の実施例によれば、前記引出レールは、上部引出レールと下部引出レールとからなり、前記主引出しは、前記上部引出レールと前記下部引出レールとに選択的に取り付け可能に構成される。このとき、前記主引出しの両側面には、前記上部引出レールと下部引出レールとの一側と接触して転がり運動を行い得る転がり部材またはスライド部材が設けられることが好ましい。また、前記上部引出レールの後端部には、前記転がり部材またはスライド部材の挿入通路となる上部挿入部が形成され、前記下部引出レールの前端部には、前記転がり部材またはスライド部材の他の挿入通路となる下部挿入部が形成されることが好ましい。また、前記下部引出レールは、前記補助引出しの両側面の前端部から後端部まで延長して形成されることが好ましい。
【００４９】
本発明のさらに他の実施例により、前記補助引出しの一側には、前記補助引出しの内部空間を仕切る仕切り板がさらに設けられる。このとき、前記主引出しの底面の前端部から後端部までの長さが前記補助引出しの底面の前端部から仕切り板までの長さと同様であるか、少し大きく形成されることが好ましい。また、前記引出レールは、前記補助引出しの両側壁の一側から前端部まで設けられることが好ましい。また、前記引出レールの前端部が開口され、前記主引出しの両側に設けられた転がり部材またはスライド部材の挿入通路となる挿入口が形成されることが好ましい。かつ、前記引出レールの一側には、上方に突設され、前記主引出しの両側に設けられた転がり部材またはスライド部材の引出を制限する係止部が設けられることが好ましい。
【００５０】
本発明のさらに他の実施例により、前記引出レールと前記転がり部材とは同じ素材からなり、このとき、前記ガイドレールと前記転がり部材とは同じ素材からなり、前記主引出しと、補助引出しと、ガイドレールとは、射出成形により作製されることが好ましい。
【発明の効果】
【００５１】
このような本発明による冷蔵庫の二重引出しによれば、主引出しと、前記主引出しの引出しを補助する引出レールが設けられた補助引出しと、前記補助引出しの引出しを補助するガイドレールとを備える冷蔵庫の二重引出しを提供することにより、主引出しの引出長さを増加させ、その引出長さにも関わらず、その引出長さ及び主引出しに収納された食べ物などによるモーメントに耐え、耐久性に優れるという効果を有する。
【００５２】
また、本発明は、二重引出しを構成する要素の取り付け・取り外しが容易であり、掃除または管理などが容易になるという効果がある。また、本発明は、主引出しに設けられる補強リブにより主引出しの強度が大きく向上するという効果がある。また、本発明は、主引出しと補助引出しとの衝突による騒音及び二重引出しの破損を防止するという効果を有する。
【００５３】
本発明は、主引出しが補助引出しに取り外し可能に取り付けられ、その主引出しを補助引出しの上部引出レール及び下部引出レールに選択的に取り付けることができ、冷蔵庫本体内での空間効率性を大きく向上させるという効果を有する。
【００５４】
また、本発明は、主引出しと補助引出しとの順次の引き込み/引出しが可能な構造となっており、ユーザがより簡単に二重引出しを使用できるという効果を有する。
【発明を実施するための最良の形態】
【００５５】
以下、本発明の好ましい実施の形態を、添付図面に基づいて詳しく説明する。
以下の実施例を説明するに当たって、同じ構成要素に対しては同じ番号を付し、各実施例の説明で重なる内容は明細書の簡潔化のためにできるだけ省略する。
【００５６】
図３は、本発明による冷蔵庫の二重引出しが採用された冷蔵庫を示す斜視図であり、冷蔵庫の二重引出しを示すために、冷蔵庫ドアの開放状態を示す斜視図である。図を参照すると、冷蔵庫本体１００は、冷蔵室２００と、引出し室３００とから構成される。
【００５７】
前記冷蔵室２００は、前記本体１００の上部に設けられ、左右の両側に仕切られる。前記冷蔵室２００の内部には、種々の食べ物を効率よく収納するために様々な形態のトレイ、棚及び引出しが前記冷蔵室２００の空間を仕切って設けられる。
【００５８】
従って、前記本体１００の一側から供給される冷気は、前記トレイ、棚及び引出しによりその流れが影響され、これにより、冷気の対流が制限または調節される。ユーザは、このような冷気供給の差による温度特性により適当な位置に食べ物を収納して保存することが可能となる。
【００５９】
一方、前記本体１００の上部の冷蔵室２００を遮蔽する回転式ドア２２０は、前記本体１００の左右側にそれぞれ設けられ、それぞれの回転式ドア２２０は、前記本体１００の両側端部でヒンジ結合され、外側に回動可能に設けられる。
【００６０】
よって、前記回転式ドア２２０は、前記冷蔵室２００の左右側を個別に遮蔽して独立した空間を形成し、必要に応じて冷蔵室２００の一方を冷凍室として使用してもよい。
【００６１】
ところで、前記冷蔵室２００が設けられた本体１００の下部には、引出し室３００が設けられる。前記引出し室３００は、引出し式に形成され、前方に引出・引込可能な貯蔵空間であり、主に冷凍室として使用される。前記引出し室３００には、魚や肉類または長期保存が必要な食べ物を冷凍して保存するための空間であり、別の冷気供給口があり、強い冷却能力を発揮する。
【００６２】
そして、前記引出し室３００は、冷凍室のみならず、必要に応じては、冷蔵室への転用が可能であることは勿論である。このときには、空間がより広く構成され、容器に収納し難い果物や野菜または比較的大きさの大きいか重い食べ物を貯蔵することが可能である。
【００６３】
前記引出し室３００の前面には、前記引出し室３００の内部を遮蔽する引出し式ドア３２０が設けられる。前記引出し式ドア３２０の下端は、食べ物を貯蔵するための貯蔵ボックス３４０の下端とヒンジ結合され、前記貯蔵ボックス３４０には、前後にスライドしながら多段に延びる３段レール３６０が取り付けられる。
【００６４】
また、前記３段レール３６０の一側は、前記引出し室３００の内側の両壁面に固定され、前記貯蔵ボックス３４０が前記３段レール３６０に沿って前後方向にスライドすることができる。前記引出し式ドア３２０の上方に設けられた取っ手を押し引きすることにより、前記貯蔵ボックス３４０と前記引出し式ドア３２０とが共に引出され/引込まれる。
【００６５】
一方、前記引出し室３００の上部は、左右の両側に仕切られ、左側には、自動で氷を生成し貯蔵する製氷機が設けられ、右側には、貯蔵ボックス３４０に貯蔵するには少し小さい食べ物や分離して貯蔵する必要のある食べ物を貯蔵するための二重引出し４００が設けられる。
【００６６】
図４は、本発明の第１の実施例による冷蔵庫の二重引出しの構造を示す分解斜視図であり、図５は、本発明の実施例による冷蔵庫の二重引出しの閉鎖状態を示す斜視図であり、図６は、補助引出しが引出された状態の前記冷蔵庫の二重引出しを示す斜視図であり、図７は、補助引出しと主引出しとが何れも引出された状態の前記冷蔵庫の二重引出しを示す斜視図である。
【００６７】
図４乃至図７に示すように、前記二重引出し４００は、ガイドレール４２０と、補助引出し４４０と、主引出し４６０とから構成される。このとき、前記主引出し４６０は、食べ物の収容、保存のために設けられるものであり、両側面に第１の転がり部材４６２を備えており、前記補助引出し４４０は、主引出し４６０を収容したまま、その主引出し４６０のスライドを許容するものであり、両側面に第２の転がり部材４４２を備えている。また、前記ガイドレール４２０は、主引出し４６０を収容した補助引出し４４０をスライド可能に案内するように冷蔵庫本体に設けられる。
【００６８】
前記ガイドレール４２０は、補助引出し４４０の引出・引込をガイドするためのものであり、横方向に長く設けられ、冷蔵庫本体１００の内側に設けられる。また、前記ガイドレール４２０には、第２の転がり部材４４２の転がりを案内する収容部４２２が設けられる。前記収容部４２２は、前記補助引出し４４０に設けられた第２の転がり部材４４２を収容するためのものであり、前記ガイドレール４２０のほぼ中央部に沿って所定の幅を有して長さ方向に設けられる。
【００６９】
前記第２の転がり部材４４２は、ローラまたはベアリングなどのスライドを円滑にするための部材であり、ローラで形成される場合、前記補助引出し４４０と同じ材料で形成することが可能である。
【００７０】
前記収容部４２２は、その外側で「⊃」字(側方から見て)状に突設された突出部に仕切って設けられている。前記突出部４２４は、第２の転がり部材４４２を収容部４２２に収容するために所定の高さで突設され、前記第２の転がり部材４４２を前方に挿入するために前記突出部４２４の前方と上方の端部が開口するように形成される。
【００７１】
また、前記突出部４２４の前端部には、側面から見て上方に少し突設されたレール係止突起４２６が設けられる。前記レール係止突起４２６は、そのものの端部がほぼフック状に突設される。
前記ガイドレール４２０は、前記冷蔵庫本体１００の内側、より詳しくは、前記引出し室３００（図３参照)の内部の上部の左右側の壁面に相互に対応する位置に設けられる。更に、前記ガイドレール４２０に前記補助引出し４４０がスライド可能に取り付けられる。
【００７２】
前記補助引出し４４０は、前方、上方、及び後方の一側が開口された四角いボックス形であり、前記補助引出し４４０の両側面の後側の上部には、前記第２の転がり部材４４２を備えている。前記第２の転がり部材４４２は、前記収容部４２２の一側と接触しながら回転するものであり、前記補助引出し４４０をガイドレール４２０に沿ってスライド可能にする。
【００７３】
そして、前記第２の転がり部材４４２の取り付けられた前記補助引出し４４０の両側面の上部には、スライドガイド４４４が設けられる。前記スライドガイド４４４は、前記補助引出し４４０が前記ガイドレール４２０に沿って前方に引出されるとき、前記補助引出し４４０が下方に垂れ下がることを防止するものであり、前記ガイドレール４２０に設けられた突出部４２４に支持されるように前記収容部４２２の形状とほぼ同様に突設される。
【００７４】
前記スライドガイド４４４は、前記第２の転がり部材４４２が設けられたところから前記補助引出し４４０の前端部まで延長形成され、前記第２の転がり部材４４２と隣接した部位にガイド係止突起４４６が形成される。
【００７５】
前記ガイド係止突起４４６は、前記レール係止突起４２６とほぼ同様な形状で、下方に突設される形状を有し、前記レール係止突起４２６と相互に当接し、前記補助引出し４４０がそれ以上引出されないようにする一方、以下に詳述するように、主引出し４６０が前記補助引出し４４０の次に順次引出せるように機能する。
【００７６】
一方、前記補助引出し４４０の両側壁には、引出レール４５０が設けられる。前記引出レール４５０は、後述する主引出し４６０を前後方向にスライド可能にするものであり、前記主引出し４６０に設けられた第１の転がり部材４６２を収容する。
【００７７】
前記引出レール４５０は、前記スライドガイド４４４よりも下側に設けられ、前記補助引出し４４０の内側から外側に所定の幅を有して窪んで形成され、前記補助引出し４４０の両側壁の後端部からほぼ中央部まで延長形成される。
【００７８】
そして、側面から見て前記引出レール４５０の一側の端部は、湾曲状に形成され、前記引出レール４５０の両側端部の下側には、係合部４５２が設けられる。前記係合部４５２は、前記引出レール４５０に取り付けられる第１の転がり部材４６２が係合し、一時的な係止突起の役割を果たすものであり、所定の曲率を有して下方に窪んで形成される。
【００７９】
ところで、側面から見て前記引出レール４５０の他側端部、すなわち、前記補助引出し４４０の後端部側は、上方に垂直に延長形成され、延長された端部は、開口するように形成される。よって、後述する主引出し４６０に取り付けられた第１の転がり部材４６２が前記補助引出し４０の前記引出レールに後側の上方から下方に挿入可能となる。
【００８０】
また、前記補助引出し４４０の後面は、上部に該当するほぼ半分程度が開口するように形成され、前記引出レール４５０に主引出し４６０を容易に挿入可能とし、前記引出レール４５０により前記ガイドレール４２０が影響されないようにする。
【００８１】
前記補助引出し４４０の内側には、主引出し４６０が係合する。前記主引出し４６０は、食べ物が保存されるところであり、上方が開口されたボックス形であり、全体として前記補助引出し４４０に係合するように前記補助引出し４４０よりも少し小さい大きさで形成される。
【００８２】
更に、前記主引出し４６０が補助引出し４４０に係合したとき、外観が目立つように、前記主引出し４６０の後面を除いた端部の周縁は、外側に垂直に折り曲げて形成される。
【００８３】
前記主引出し４６０の前方には、前記主引出し４６０の前面の外観を形成する前面プレート４６４が設けられる。前記前面プレート４６４は、前記主引出し４６０をユーザが引出そうとするときには、把持できる取っ手としても用いられる。
【００８４】
前記主引出し４６０の第１の転がり部材４６２は、前述した第２の転がり部材４４２と同じ形状で形成される。前記第１の転がり部材４６２は、前記引出レール４５０に収容され、前記引出レール４５０の一側と接触しながら転がり運動を行うものであり、前記主引出し４６０を前記補助引出し４４０の内側で円滑にスライド可能にする。
【００８５】
前記第１の転がり部材４６２は、前記主引出し４６０の両側面の後側のほぼ中央部、すなわち、前記引出レール４５０の設置位置と対応する位置に設けられる。つまり、前記第１の転がり部材４６２は、前記主引出し４６０を前記補助引出し４４０に係合したとき、自然に前記引出レール４５０に収容できるように設けられる。
【００８６】
前記第１の転がり部材４６２は、前記第２の転がり部材４４２と同様にローラまたはベアリングなどのスライドを円滑にするための部材であり、ローラで形成される場合、前記主引出し４６０と同じ材料で形成することが可能である。かつ、前記主引出し４６０の後方壁には、後方から供給される冷気を前記主引出し４６０に円滑に流入させるための冷気流入口４６６がさらに設けられる。
【００８７】
一方、前記主引出し４６０と、補助引出し４４０と、ガイドレール４２０とは同じ材料で形成され、プラスチックのような材料で射出成形して形成する。
【００８８】
図８乃至図１１は、前述した冷蔵庫の二重引出しの使用状態を示す断面図であり、図８乃至図１１を参照して本実施例による冷蔵庫の二重引出しの作用を説明すると、次のようになる。
【００８９】
前記二重引出し４００が冷蔵庫内部に引き込まれた状態を説明すると、図８に示すように、主引出し４６０は、補助引出し４４０に収容されており、主引出し４６０の後面と補助引出し４４０の後面とが相互に接している。かつ、前記補助引出し４４０の第２の転がり部材４４２は、前記ガイドレール４２０の後端部に位置しており、前記主引出し４６０の第１の転がり部材４６２は、前記補助引出し４４０に設けられた引出レール４５０の後端部に位置している。よって、前記主引出し４６０は、前方壁の一部を除いては完全に前記補助引出し４４０の内側に収容され、前記ガイドレール４２０は、前記補助引出し４４０の側面に位置することになる。
【００９０】
前記のように二重引出し４００が冷蔵庫内部に引き込まれた状態で、冷蔵庫の引出し室３００に設けられた二重引出し４００内の食べ物を保存したり引出したりするために、ユーザは、引出し式ドア３２０に設けられた取っ手を把持して引出し式ドア３２０を前方に引出すことになる。このように、引出し室３００が開放されると、前記貯蔵ボックス３４０が完全に外部に露出され、このとき、前記貯蔵ボックス３４０の上部に設けられた二重引出し４００は、図示のように、冷蔵庫に引き込まれた状態となっている（図 3 参照）。
【００９１】
図8及び図9に示すように、前面プレート４６４を手で掴んで前方に引っ張ると、補助引出し４４０は、ガイドレール４２０に沿って図８に示す位置から図9に示す位置まで引出される。この過程で補助引出し４４０の第２の転がり部材４４２は、ガイドレール４２０の収容部４２２内でガイドレール４２０の一側と接触しながら転がり運動を行い、前記第２の転がり部材４４２の転がり運動は、補助引出し４４０の円滑なスライド引出を補助する。
【００９２】
このとき、前記補助引出し４４０が最初に引出すときに前記補助引出し４４０よりも主引出し４６０が先に引出されたり同時に引出されないのは、前記第１の転がり部材４６２が引出レール４５０の両側壁の後端に設けられた係合部４５２に係合しており、前記係合部４５２を越えて前記第１の転がり部材４６２が転がり運動を行おうとすると、相対的に大きい力が求められるためである。
【００９３】
これに反し、前記第２の転がり部材４４２が転がり運動を行うガイドレール４２０の後端部には、若干の傾斜が形成されるものの、前記第２の転がり部材４４２が前記傾斜を越えるための力が、前記第１の転がり部材４６２が前記係合部４５２を越えるための力よりも相対的に小さいため、前記前面プレート４６４を徐々に引っ張ると、前記補助引出し４４０が先に引出される。
【００９４】
ユーザが前面プレート４６４を把持して徐々に前方に引っ張ると、結局、前記補助引出し４４０に設けられたガイド係止突起４４６と前記ガイドレール４２０に設けられたレール係止突起４２６とが相互に当接して係止し、これにより、前記補助引出し４４０の引出しはそれ以上行われなくなる。このように、補助引出し４４０の引出がそれ以上行われない位置を図9に示している。
【００９５】
図9及び図１0に示すように、前記ガイド係止突起４４６とレール係止突起４２６とが当接した後にも、継続して前記主引出し４６０を引っ張ると、前記第１の転がり部材４６２が前記係合部４５２を越えるための力が発生し、これにより、前記第１の転がり部材４６２は、前記引出レール４５０の一側と接しながら転がり運動を行うことになる。
【００９６】
第１の転がり部材４６２の転がり運動により前記主引出し４６０は、前記補助引出し４４０の内側で前方に引出され、前記主引出し４６０を引っ張り続けると、前記第１の転がり部材４６２は、前記引出レール４５０の前方に位置している係合部４５２に係合し、それ以上主引出し４６０の引出が行われなくなる。このように、主引出し４６０が完全に引出された位置を図１0に示している。
【００９７】
前記主引出し４６０が前記補助引出し４４０から完全に引出されると、前記主引出し４６０は、前記冷蔵庫の引出し室３００内側から外側に露出し、このとき、ユーザは、二重引出し４００に食べ物を入れたり、食べ物を出したりすることが可能となる（図３参照）。
【００９８】
一方、前記二重引出し４００を引き込むために、前記主引出し４６０の前面プレート４６４を押し付けると、前記二重引出し４００を引出すときと同様に、前記係合部４５２の作用により、前記第２の転がり部材４４２が転がり運動を行うことで補助引出し４４０が先に引き込まれ、前記補助引出し４４０が図10に示す位置から図11に示す位置まで引き込まれた後には、前記主引出しが順に引き込まれる。更に、主引出し４６０が完全に引き込まれ、図８に示す最初の位置に戻ると、前述した引出し式ドア３２０（図３参照)を押し付けて前記引出し室３００を密閉することになる。
【００９９】
ところで、二重引出し４００を洗浄したり、他の理由で取り外したりするためには、前記主引出し４６０が係合した補助引出し４４０を上方に少し上げながら前方に引出して前記ガイドレール４２０の前方の開口された部分から取り外す。
【０１００】
次に、前記主引出し４６０を前記補助引出し４４０の後方に押し付けて前記第１の転がり部材４６２を前記引出レール４５０の後端部に位置するようにした後、前記主引出し４６０を上方に持ち上げて前記引出レール４５０の開口された部分から第１の転がり部材４６２を抜き出して取り外す。前記二重引出し４００を取り外した後、再び取り付けようとするときには、前記取り外した逆順に組み立てる。
【０１０１】
図１２乃至図１４は、本発明の第２の実施例により補助引出し４４０を軽量化した冷蔵庫の二重引出し４００を示す図である。
【０１０２】
図１２及び図１３を参照すると、補助引出し４４０は、主引出し４６０よりも大きい幅で形成され、主引出し４６０を収容する一方、その両側面がガイドレール４２０と対向している。前述の実施例と同様に、前記補助引出し４４０は、その前面が完全に開口され、補助引出し４４０の内側に係合した主引出し４６０を前方に容易にスライド可能にし、上面と後面も開口され、前記主引出し４６０を上方から下方に取り付け可能にする。
【０１０３】
前述の実施例と異なり、本実施例による補助引出し４４０は、底面の相当部分が開口するように形成され、このように、開口された補助引出し４４０の底面には、補助引出し４４０の両側壁を連結する連結部４４３が設けられる。前記連結部４４３は、前記補助引出し４４０の底面を水平に横切って形成され、前記補助引出し４４０の両側壁の下端を連結して前記補助引出し４４０の両側壁を支持することになる。
【０１０４】
従って、前記連結部４４３は、補助引出し４４０の形態を軽量の構造で保てると共に、主引出し４６０の引出/引込時に前記主引出し４６０と前記補助引出し４４０の底面との摩擦を最小化することができる。前記連結部４４３は、必要に応じて一つ以上で形成され、その幅も状況に応じて多様に適用可能である。
【０１０５】
図１４は、図１２及び図１３に示す実施例を変形した変形実施例による補助引出し４４０を示している。図１４に示すように、前記補助引出し４４０は、前述の実施例の補助引出しと両側壁の構造が同様である。ただ、前記補助引出し４４０は、前面と上面のみならず、底面も開口するように形成され、前記補助引出し４４０の両側壁が補助引出し４４０の後面に設けられた連結部４４３により連結された構造をなす。よって、前記補助引出し４４０の両側壁は、前記連結部４４３により支持され、前記主引出し４６０が前記補助引出し４４０の内側で安定してスライドできるように前記補助引出し４４０の形態を保つことが可能となる。
【０１０６】
図１５乃至図１８は、本発明の第３の実施例により主引出しが補助引出しの前方に挿入され、スライドされる構造の冷蔵庫の二重引出しを示す図である。
図１５乃至図１８に示すように、本実施例の冷蔵庫の二重引出しは、前述の実施例と同様に、ガイドレール４２０と、補助引出し４４０と、主引出し４６０とを備えている。
【０１０７】
図１５乃至図１８に示すように、前記補助引出し４４０の両側壁には、引出レール４５０が設けられる。前記引出レール４５０は、前記主引出し４６０の両側面に設けられた第１の転がり部材４６２と接触して回転するものであり、前記補助引出し４４０の内側から外側に所定の深さだけ窪んで形成される。
【０１０８】
前記引出レール４５０は、前記補助引出し４４０の後端部から前記補助引出し４４０の前端部まで延長して形成され、上段の底面が下段の上面よりも高い位置に形成されるように段差を有して形成される。
【０１０９】
そして、前記引出レール４５０は、前記第１の転がり部材４６２を収容するために、前記主引出し４６０が前記補助引出し４４０に係合したとき、前記第１の転がり部材４６２と対応する位置に設けられる。
【０１１０】
前記引出レール４５０は、前記第１の転がり部材４６２の移動をガイドする移動部４５３と、前記第１の転がり部材４６２の係止突起としての垂直部４５５と、前記第１の転がり部材４６２が挿入される挿入部４５７とから構成される。
【０１１１】
前記移動部４５３は、前記補助引出し４４０の後端部から少なくとも中央部まで底面と平行に延長して形成され、前記第１の転がり部材４６２が円滑に移動できるように十分な幅や深さを有して形成される。
【０１１２】
また、前記移動部４５３の両側端部には、係合部４５２が設けられる。前記係合部４５２は、前記主引出し４６０が前記補助引出し４４０の内側から前方に完全に引出されたり、後方に完全に引き込まれたりしたとき、前記第１の転がり部材４６２が係合する部分であり、下方に所定の曲率を有して窪んで形成される。
【０１１３】
前記移動部４５３の前端部には、上方に垂直に延長して形成された垂直部４５５が設けられる。前記垂直部４５５は、前記主引出し４６０が引出されるとき、前記第１の転がり部材４６２が前記移動部４５３から離脱することを防止する係止突起としての役割を果たすものであり、前記垂直部４５５の延長高さは、少なくとも前記第１の転がり部材４６２の半径よりもさらに高く形成されることが好ましい。
【０１１４】
所定の長さだけ延長して形成された垂直部４５５の上端部には、挿入部４５７が設けられる。前記挿入部４５７は、前記第１の転がり部材４６２が挿入される通路であり、前記垂直部４５５の上端部から前記補助引出し４４０の前端部まで延長して形成される。
【０１１５】
かつ、前記挿入部４５７の前端部は、前方に開口され、前記主引出し４６０を前記補助引出し４４０に係合するときに、前記第１の転がり部材４６２が挿入可能な転がり部材挿入口４５７´を形成する。
【０１１６】
前記転がり部材挿入口４５７´は、前方が前記第１の転がり部材４６２の直径よりも少し大きく開口して形成される。よって、前記転がり部材挿入口４５７´を介して前記第１の転がり部材４６２を前記引出レール４５０の挿入部４５７内に挿入して前記主引出し４６０を前記補助引出し４４０に係合する。
【０１１７】
一方、前記引出レール４５０が取り付けられた前記補助引出し４４０の両側面には、第２の転がり部材４４２が設けられる。前記第２の転がり部材４４２は、前記補助引出し４４０を、後述するガイドレール４２０に沿ってスライド可能にするものであり、前記第１の転がり部材４６２と同様な構造を有する。
前記第２の転がり部材４４２は、前記補助引出し４４０の両側面の後端部の上側、すなわち、前記引出レール４５０の上方に設けられる。かつ、前記第２の転がり部材４４２が取り付けられた位置から前記補助引出し４４０の前端部までスライドガイド４４４が設けられる。
【０１１８】
前記スライドガイド４４４は、前記補助引出し４４０が引出され/引込まれるとき、前記補助引出し４４０が垂れ下がらないようにするものであり、所定の幅を有して外側に突設される。かつ、前記スライドガイド４４４の後端部、より詳しくは、前記第２の転がり部材４４２が取り付けられた付近に、ガイド係止突起４４６が設けられる。
【０１１９】
前記ガイド係止突起４４６は、前記補助引出し４４０が引出されるとき、前記補助引出し４４０が過度な引出により取り外れないように後述するガイドレール４２０に設けられたレール係止突起４２６と当接しながら前記補助引出し４４０の引出を制限するためのものであり、前記スライドガイド４４４の下側からフック状に突設される。
【０１２０】
一方、前記補助引出し４４０は、ガイドレール４２０に取り付けられる。前記ガイドレール４２０は、前記補助引出し４４０のスライドをガイドするものであり、前記冷蔵庫の本体１００（図３参照)の左右側、より詳しくは、前記引出し室３００の上部の左右側面にそれぞれ設けられる。
【０１２１】
前記ガイドレール４２０は、横に長い四角形板からなり、前記ガイドレール４２０の中央部には、前記ガイドレール４２０の横方向に沿って長く形成された突出部４２４と収容部４２２とが設けられる。
【０１２２】
前記突出部４２４は、前記ガイドレール４２０の外側縁部に沿って、所定の距離だけ内側に突設されたものであり、所定の幅を有して形成される。よって、前記突出部４２４が形成する部分の内側には、窪んで形成された収容部４２２が自然に形成され、前記収容部４２２の形状は、前記突出部４２４の形状によって決定される。
【０１２３】
前記収容部４２２は、前記第２の転がり部材４４２が接触しながら転がり運動を行うものであり、前記第２の転がり部材４４２が安定して転がり運動を行いながら移動できるように所定の幅を有して形成される。
【０１２４】
また、前記突出部４２４は、前方の上部の端部が開口するように形成され、前記突出部４２４の下側の前端部には、レール係止突起４２６が設けられる。前記レール係止突起４２６は、前記スライドガイド４４４に設けられたガイド係止突起４４６と当接して前記補助引出し４４０の過度な引出を防止するためのものであり、前記ガイド係止突起４４６と同様にフック状に形成され、上方に突設される。
【０１２５】
以下、前記のように構成された本発明による冷蔵庫の二重引出し４００の作用を説明すると、次のようになる。
【０１２６】
図１８は、前述の冷蔵庫の二重引出しの作動を示す概要図であり、図を参照して、前記二重引出し４００が冷蔵庫のないに完全に引き込まれた状態では、前記主引出し４６０の第１の転がり部材４６２が引出レール４５０、より詳しくは引出レール４５０の移動部４５３の後端の係合部４５２に係合し、前記補助引出し４４０の第２の転がり部材４４２は、前記ガイドレール４２０の後端部に位置する。
【０１２７】
前記二重引出し４００を引出すために、前記主引出し４６０の前面に設けられた前記前面プレート４６４を把持して前方に引っ張ると、前記補助引出し４４０が先に前方に引出される。
【０１２８】
このとき、前記主引出し４６０が前記補助引出し４４０よりも先に引出されない理由は、主引出し４６０をスライド可能にする第１の転がり部材４６２が前記移動部４５３の後端の係合部４５２に係合し、前記係合部４５２を越えて移動するためには、所定の力が必要となるためである。
【０１２９】
これに反し、前記補助引出し４４０をスライド可能にする第２の転がり部材４４２は、前記ガイドレール４２０の収容部４２２の後端に位置しており、前記収容部４２２の後端は、少しの傾斜があるが、前記第１の転がり部材４６２が前記係合部４５２を越えるための力よりも少ない力で傾斜を超えることができ、前記補助引出し４４０が先に引出される。
【０１３０】
前記補助引出し４４０がある程度引出され、前記ガイド係止突起４４６が前記レール係止突起４２６と当接すると、それ以上補助引出し４４０は引出されず、前記前面プレート４６４を引っ張り続けることになり、前記主引出し４６０を前方に引っ張る力が前記第１の転がり部材４６２が前記係合部４５２を越えるための力よりも大きくなると、前記第１の転がり部材４６２が前記係合部４５２を越えて前記移動部４５３に沿って移動することになる。
【０１３１】
前記第１の転がり部材４６２の移動で前記主引出し４６０は、前記補助引出し４４０の内側から前記移動部４５３によりガイドされながら前方に引出され、前記第１の転がり部材４６２が前記移動部４５３の前端の係合部４５２に位置することになると、それ以上前記主引出し４６０が引出されない。
【０１３２】
一方、前記二重引出し４００を引き込む過程を説明すると、前記主引出し４６０の前面プレート４６４を後方に押し付けると、前記二重引出し４００の引出時と同様に前記移動部４５３の前端の係合部４５２の影響で前記補助引出し４４０に取り付けられた第２の転がり部材４４２が先に転がり運動を行いながら移動する。
【０１３３】
前記第２の転がり部材４４２の移動が終了すると、前記第１の転がり部材４６２が前記係合部４５２を越えて前記移動部４５３に沿って後方に移動することになり、これにより、前記主引出し４６０が後方にスライドしながら引き込まれる。前記主引出し４６０の引き込みが終了すると、前記二重引出し４００は、引出前の最初の状態と戻る。
【０１３４】
ところで、前記のような二重引出し４００を修理する必要があったり、前記二重引出し４００の使用中に食べ物の収納された主引出し４６０を一度に取り外さなければならない場合には、前述した引出過程を経て前記主引出し４６０が前記移動部４５３の前端部に位置するようになるまで、前記前面プレート４６４を引っ張る。
【０１３５】
その次、前記第１の転がり部材４６２が前記垂直部４５５を通過するために、前記主引出し４６０を上方に所定の高さだけ持ち上げた後、前記挿入部４５７の後端に前記第１の転がり部材４６２が位置すると、再び前記主引出し４６０を前方に引っ張って前記転がり部材挿入口４５７´を通過するようにして前記主引出し４６０を前記補助引出し４４０から取り外す。
【０１３６】
取り外された主引出し４６０を前記補助引出し４４０に取り付けるためには、前記取り外しの逆順で前記第１の転がり部材４６２を前記転がり部材挿入口４５７´に挿入し、前記第１の転がり部材４６２が前記挿入部４５７と垂直部４５５とを順に通過させた後に前記二重引出し４００を引き込むと、前記二重引出し４００が組み立てられて初期の状態となる。
【０１３７】
前述の本実施例の冷蔵庫の二重引出し４００は、二重引出しの掃除または管理のために、あるいは、食べ物が収納された主引出しを全体として取り出そうとするときに、主引出し４６０を補助引出し４４０の前方を介して容易に取り外すことが可能であると共に、取り外してから再び取り付けるときにも前方に挿入して容易に組み立てることが可能であり、ユーザが主引出し４６０をより簡単に使用できるようにする効果がある。
【０１３８】
図１９は、本発明の第４の実施例により強度が大きく改善された主引出し４６０を説明するための図であり、前記主引出し４６０を示す底面斜視図である。図１９に示すように、前記主引出し４６０の底面には、強度の補強のための補強リブ４６８が設けられる。前記補強リブ４６８は、主引出し４６０の底面から下方に所定の高さで突設され、その形成方向は、主引出し４６０の前後となるように決定される。さらに、前記補強リブ４６８は、所定の等間隔で左右に整列して形成されるのが好ましく、このような補強リブ４６８の下端は、補助引出し４４０（図４乃至図１８参照)の収容空間内で補助引出し４４０の内面と接することになる。
【０１３９】
図２０乃至図２２は、本発明の第５の実施例により主引出しと補助引出しとの間の衝突及びこれによる騒音及び衝撃を緩和する構造の冷蔵庫の二重引出しを説明するための図である。
【０１４０】
図２０乃至図２２に示すように、本実施例の冷蔵庫の二重引出し４００は、補助引出し４４０の前端部に緩衝部材４４８を備えて、その緩衝部材４４８により、主引出し４６０と補助引出し４４０との衝突及びこれによる衝撃を緩和する構造を有する。
【０１４１】
本実施例では、前記緩衝部材４４８は、補助引出し４４０の側壁４４０ｂの前端部に取り付けられ、二重引出し４００の開閉及びこれによる主引出し４６０と補助引出し４４０との衝突時にその衝突による衝撃を緩和するものであり、ゴムのような弾性を有する材料からなるものが好ましい。
【０１４２】
本実施例では、二重引出し４００は、主引出し４６０の前方への移動と同時に、あるいは、順次に前記補助引出し４４０も前記ガイドレール４２０により前方に引出され、前記主引出し４６０と補助引出し４４０とが完全に引出された状態が図２２に示されている。
【０１４３】
このように、前記主引出し４６０と補助引出し４４０とが前方に引出されると、ユーザは、前記主引出し４６０の収納空間４６０´に食べ物を収納したり、収納された食べ物を引出したりして使用する。
【０１４４】
次に、前記主引出し４６０を冷蔵庫内部に引き込むためには、前記前面プレート４６４に後方への力を加える。このようになると、前記主引出し４６０と補助引出し４４０とが同時にまたは順次に後方に後退し、最終には、図２１に示すような状態となる。
【０１４５】
このとき、前記緩衝部材４４８が前記主引出し４６０と補助引出し４４０との衝突及びこれによる衝撃を緩和する。すなわち、前記主引出し４６０が後方に後退するときに速い速度で後退して前記補助引出し４４０と衝突するが、補助引出し４４０の側壁４４０ｂの前端部に取り付けられた緩衝部材４４８が前記主引出し４６０に衝突することになり、衝撃が緩和する。
【０１４６】
前述の実施例では、緩衝部材４４８としてゴムを例示しているが、このような緩衝部材４４８としては、衝撃を緩和する機能を有するものであれば何れも使用可能であることは勿論である。また、前述では、緩衝部材４４８が補助引出し４４０の側壁４４０ｂの前端部に設けられているものと説明したが、このような緩衝部材４４８の設置位置は、多様な変更が可能であることは勿論である。すなわち、前記緩衝部材４４８は、補助引出し４４０の下部壁４４０ａの前端部に設けるか、主引出し４６０の前端部の後側(補助引出しの前端部に接触する部分)に設けてもよい。
【０１４７】
そして、前記緩衝部材４４８は、前述の実施例と同様に、補助引出し４４０の側壁４４０ｂの前端部に一つの部材で上下に長く形成する他に、補助引出し４４０の側壁４４０ｂの前端部の上端部にのみ設けたり、複数の部材に分けて、側壁面の前端部の上端部と下端部及び中間部にそれぞれ設けたりしてもよい。
【０１４８】
図２３乃至図２５は、本発明の第６の実施例による冷蔵庫の二重引出しを説明するための図である。図２３乃至図２５を参照して本実施例による二重引出し４００を説明すると、次のようになる。
【０１４９】
本実施例では、主引出し４６０の両側面には、スライド部材４６２´がそれぞれ設けられる。前記スライド部材４６２´は、前記主引出し４６０を円滑にスライド可能にするものであり、前記主引出し４６０の両側面の後端部に設けられる。
前記スライド部材４６２´は、前記主引出し４６０の両側面の後端部に形成されている。より詳しくは、後述する開口型の引出レール４５０と対応する位置に設けられ、前記主引出し４６０の両側面から所定の距離だけ垂直に突設される。
【０１５０】
前記スライド部材４６２´は、主引出し４６０とその主引出し４６０の内部に収容される食べ物の重さを支えるように、所定の厚さと幅を有して形成され、その形状は多様な変形が可能である。前記主引出し４６０は、前述の実施例と同様に、補助引出し４４０に係合して収容され、前記補助引出し４４０の内側で前後にスライドしながら引出され引込まれる。
【０１５１】
前記補助引出し４４０は、全体としてボックス形であり、前記主引出し４６０が係合するように前記主引出し４６０よりも少し大きく形成される。かつ、前記補助引出し４４０の前面は完全に開口され、前記補助引出し４４０の内側に係合し主引出し４６０を前方に容易にスライド可能にする。また、前記補助引出し４４０の上面は開口され、前記主引出し４６０の内側の認識と食べ物の収納をより容易にする。
【０１５２】
前記補助引出し４４０の両側壁には、開口型の引出レール４５０が設けられる。前記引出レール４５０は、前記主引出し４６０の両側面に設けられたスライド部材４６２´のスライドをガイドするものであり、前記スライド部材４６２´を収容できるように、前記主引出し４６０が前記補助引出し４４０に係合したとき、前記スライド部材４６２´と対応する位置に形成される。
【０１５３】
より詳しく説明すると、前記引出レール４５０は、前記補助引出し４４０の両側壁の後端部から少なくとも中央部まで延長して形成され、前記補助引出し４４０の両側壁を貫通するように形成される。
【０１５４】
また、前記引出レール４５０の後端部には、挿入部４５７が設けられる。前記挿入部４５７は、前記スライド部材４６２´の挿入通路となり、前記引出レール４５０の後端部から上方に開口するように形成される。
【０１５５】
従って、前記主引出し４６０を前記補助引出し４４０に係合するためには、前記主引出し４６０の両側面に設けられた前記スライド部材４６２´を前記補助引出し４４０の挿入部４５７に位置するようにし、前記主引出し４６０を開口型の引出レール４５０の内側に挿入する。
【０１５６】
前記スライド部材４６２´は、開口型の引出レール４５０の底面と接触しながらスライドし、前記引出レール４５０の両側の端部には、係合部４５２が設けられる。前記係合部４５２は、前記スライド部材４６２´の係止突起としての役割を果たすものであり、前記スライド部材４６２´とほぼ同様な形状で前記スライド部材４６２´よりも少し大きく窪んで形成される。
【０１５７】
そして、前記引出レール４５０の底面に沿ってスライドするスライド部材４６２´は、前記引出レール４５０の両側端部で前記係合部４５２に係合しながらスライドを停止する。
【０１５８】
一方、前記引出レール４５０が設けられた前記補助引出し４４０の両側面には、転がり部材４４２が設けられる。前記転がり部材４４２は、前記補助引出し４４０が後述するガイドレール４２０に沿って転がり運動を行うことを可能とし、必要に応じて前記スライド部材４６２´と同様に突起状に成形されることも可能である。
【０１５９】
前記転がり部材４４２は、前記補助引出し４４０の両側面の後端部の上側、すなわち、前記引出レール４５０の上方に設けられる。また、前記転がり部材４４２が取り付けられた位置から前記補助引出し４４０の前端部までスライドガイド４４４が設けられる。
【０１６０】
前記スライドガイド４４４は、前記補助引出し４４０が引出され/引込まれるとき、前記補助引出し４４０が下方に垂れ下がらないようにするものであり、所定の幅を有して外側に突設される。
【０１６１】
前記補助引出し４４０は、ガイドレール４２０に取り付けられる。前記ガイドレール４２０は、前記補助引出し４４０の引出/引込をガイドするものであり、前記冷蔵庫の本体１００（図３参照)左右側、より詳しくは、前記引出し室３００の上部の左右側面にそれぞれ設けられる。
【０１６２】
前記ガイドレール４２０は、横に長い四角形板からなり、前記ガイドレール４２０の中央部には、前記ガイドレール４２０の横方向に沿って長く形成された突出部４２４と収容部４２２とが設けられる。
【０１６３】
前記突出部４２４は、前記ガイドレール４２０の外側縁部に沿って、所定の距離だけ内側に突設されたものであり、所定の幅を有して形成される。よって、前記突出部４２４が形成する部分の内側には、窪んだ収容部４２２が自然に形成され、前記収容部４２２の形状は、前記突出部４２４の形状によって決定される。
【０１６４】
前記収容部４２２は、前記転がり部材４４２が接触しながら転がり運動を行うものであり、前記転がり部材４４２が安定して転がり運動を行いながら移動できるように所定の幅を有して形成される。
【０１６５】
以下、前記のように構成された本発明による冷蔵庫の二重引出し４００の作用を説明すると、次のようになる。
【０１６６】
図２５は、本実施例による冷蔵庫の二重引出しの作動を示す概要図であり、図を参照して、前記二重引出し４００が冷蔵庫に完全に引き込まれた状態では、主引出し４６０のスライド部材４６２´が開口型の引出レール４５０の後端の係合部４５２に係合し、前記補助引出し４４０の転がり部材４４２は、前記ガイドレール４２０の後端部に位置する。
【０１６７】
前記二重引出し４００を引出すためには、前記主引出し４６０の前面に設けられた前記前面プレート４６４を把持して前方に引っ張ると、前記補助引出し４４０が先に前方に引出される。
【０１６８】
このとき、前記主引出し４６０が前記補助引出し４４０よりも先に引出されない理由は、主引出し４６０が引出され/引込まれるようにスライドするスライド部材４６２´が前記開口型の引出レール４５０の後端の係合部４５２に係合し、前記係合部４５２を越えて移動するには、所定の力が必要となる。
これに反し、前記補助引出し４４０をスライド可能にする転がり部材４４２は、前記ガイドレール４２０の収容部４２２の後端に位置しており、前記収容部４２２の後端は、少しの傾斜があるものの、スライド部材４６２´が係合部４５２を越えるための力よりも少ない力で前記転がり部材４４２が傾斜を越えることができ、前記補助引出し４４０が先に引出される。
【０１６９】
前記補助引出し４４０がある程度引出され、それ以上補助引出し４４０が引出されないまでに、前記前面プレート４６４を引っ張り続けると、前記主引出し４６０を前方に引っ張る力が前記スライド部材４６２´が前記係合部４５２を越えるための力よりも大きくなる。
【０１７０】
これにより、前記スライド部材４６２´が前記係合部４５２を越えて前記引出レール４５０の下端部に沿ってスライドすることになり、前記スライド部材４６２´のスライドで前記主引出し４６０は前記補助引出し４４０の内側から前方に引出される。
【０１７１】
そして、前記スライド部材４６２´が前記開口型の引出レール４５０の前端の係合部４５２に位置すると、それ以上前記主引出し４６０が引出されなくなり、前記主引出し４６０と補助引出し４４０の引出が終了する。
【０１７２】
一方、前記二重引出し４００を引き込む過程を説明すると、前記主引出し４６０の前面プレート４６４を後方に押し付けると、前記二重引出し４００の引出時と同様に、前記開口型の引出レール４５０の前端の係合部４５２の影響で前記補助引出し４４０に取り付けられた転がり部材４４２が先に転がり運動を行いながら移動することになる。
【０１７３】
前記転がり部材４４２の移動が終了すると、前記スライド部材４６２´が前記係合部４５２を越えて前記開口型の引出レール４５０に沿って後方に移動し、これにより、前記主引出し４６０が後方にスライドしながら引き込まれる。前記主引出し４６０の引き込みが終了すると、前記二重引出し４００は、引出前の最初の状態に戻る。
【０１７４】
また、前記二重引出し４００を掃除または修理などのために取り外さなければならない場合には、前記主引出し４６０が前記補助引出し４４０に完全に引き込まれた状態で前記主引出し４６０を上方に持ち上げると、前記開口型の引出レール４５０の挿入部４５７を介して前記スライド部材４６２´が抜け出し、前記主引出し４６０が前記補助引出し４４０から取り外される。
【０１７５】
かつ、前記補助引出し４４０は、前記ガイドレール４２０に沿って完全に引き出された後、ほぼ前方の４５°上方の対角線方向に持ち上げられると、前記突出部４２４の開口された部分を通して前記補助引出し４４０が前記ガイドレール４２０から取り外される。
【０１７６】
このような取り外しの手順は、補助引出し４４０と主引出し４６０とのうちの何れを先に取り外してもよく、前記二重引出し４００の組み立て過程は、前記した逆の手順で行う。かつ、このときにも手順に関わりなく、前記主引出し４６０と補助引出し４４０とのうちの何れを先に組み立ててもよい。
【０１７７】
図２６乃至図３０は、本発明の第７の実施例による冷蔵庫の二重引出しを説明するための図であり、図２６は、前記冷蔵庫の二重引出しの主要部分を分解して示す斜視図であり、図２７は、冷蔵庫の二重引出しの補助引出しを底面で示す底面斜視図であり、図２８は、前記補助引出しの側面図である。
【０１７８】
図２７及び図２８に示すように、本実施例による補助引出し４４０の底面には、補助引出しドア４７１が取り付けられる。前記補助引出しドア４７１は、前記補助引出し４４０の前面の開口された面を選択的に遮蔽するものであり、前記補助引出し４４０の開口された面を遮蔽できる大きさで形成される。かつ、前記補助引出しドア４７１の両側面の上端部と両側面の下端部には、それぞれ垂直に突設された固定突起４７２が形成され、前記固定突起４７２は、後述するドアガイド４７３に取り付けられ、前記補助引出し４４０の取り付けやスライド及び回動を補助する。
【０１７９】
前記ドアガイド４７３は、前記補助引出し４４０の下面の両側端部から垂直に突設され、前記補助引出し４４０の前端部から前記補助引出しドア４７１の高さだけ後方に延長して形成される。
【０１８０】
また、前記補助引出しドア４７１の両側に形成された固定突起４７２は、スライド溝４７３´に取り付けられ、スライドできるように、スライド溝４７３´は、前記補助引出しドア４７１の下面と前記ドアガイド４７３との間に、前記ドアガイド４７３の前端部から後端部まで長さ方向に延長して形成されている。
【０１８１】
よって、前記補助引出し４４０の内側に前記主引出し４６０が係合し、前記補助引出し４４０が前記主引出し４６０（図２６参照)のガイドを補助するときには、前記補助引出しドア４７１が前記補助引出し４４０の下面で前記補助引出し４４０の下面と平行に取り付けられる。
【０１８２】
図２６乃至図３０に示すように、前記主引出し４６０が前記補助引出し４４０から取り外され、前記補助引出し４４０も一つの収納空間で使用されるときには、前記補助引出しドア４７１が前記補助引出し４４０の開口された前面を選択的に遮蔽する。
【０１８３】
また、前記補助引出しドア４７１を前記補助引出し４４０の前面に固定するために、前記補助引出し４４０の両側壁の前端には、固定溝４７４が形成される。前記固定溝４７４は、前記補助引出しドア４７１が前記補助引出し４４０の前面を遮蔽するときに、前記補助引出しドア４７１の両側端部の上端に形成された前記固定突起４７２が挿入できるように形成される。
【０１８４】
一方、前述の各実施例のような補助引出し４４０は、ガイドレール４２０に取り付けられる。前記ガイドレール４２０は、前記補助引出し４４０のスライドをガイドするために引出し室３００の上部の左右側面にそれぞれ設けられるものであり、前述の実施例の説明で詳細な説明を行っている。
【０１８５】
ところで、前記主引出し４６０が前記補助引出し４４０から取り外され、それぞれの引出しが独立した収納空間で使用されるときには、図２９及び図３０に示すように、前記主引出し４６０は、冷蔵庫本体の補助レール４８０にスライド可能に取り付けられる。前記補助レール４８０は、転がり部材４６２が取り付けられた主引出し４６０の前後方向へのスライドを案内する。
【０１８６】
前記補助レール４８０は、前記ガイドレール４２０と同様に長さの長い四角形板からなり、前記補助レール４８０の一側には、前記主引出し４６０の転がり部材４６２が挿入できるレール溝４８２が形成される。
【０１８７】
前記レール溝４８２は、前記補助レール４８０のほぼ中央部に形成され、前記主引出し４６０が十分に引出/引込可能にそれに対応する長さで窪んで形成される。よって、主引出し４６０の転がり部材４６２は、前記レール溝４８２の内側で転がり運動を行い、これにより、前記主引出し４６０が引出され/引込まれる。
【０１８８】
前記補助レール４８０は、前記ガイドレール４２０と同様な形態で形成され、前記冷蔵庫本体１００の内部の必要な位置に取り付けられてもよく、前記冷蔵庫本体１００の内側に一体に形成されてもよい。
【０１８９】
前記補助レール４８０は、前記冷蔵庫本体１００の内側で前記主引出し４６０が取り付け可能な位置であれば何処にも取り付けることができ、本発明の実施例では、前記ガイドレール４２０の側方、すなわち、前記引出し室３００の左側の上方に取り付けられる。
【０１９０】
以下、前記のように構成された本発明による冷蔵庫の取り外し型二重引出しの作用を図を参照して説明すると、次のようになる。
前記主引出し４６０と補助引出し４４０とがそれぞれ取り外されて独立した収納空間として使用されるときには、前記主引出し４６０が前記補助引出し４４０に完全に引き込まれた状態で前記主引出し４６０を上方に持ち上げて主引出し４６０の転がり部材４６２を補助引出し４４０の挿入部４５７を介して抜き出す。
【０１９１】
前記転がり部材４６２を取り出して前記主引出し４６０を前記補助引出し４４０から取り外した後、前記主引出し４６０を前記引出し室３００の左側の上部に設けられた補助レール４８０に取り付ける。このとき、前記主引出し４６０の転がり部材４６２を前記補助レール４８０に形成されたレール溝４８２に取り付けることにより、前記主引出し４６０は、前後方にスライドし、引出/引込が可能となる。
【０１９２】
そして、前記補助引出し４４０は、前記ガイドレール４２０に取り付けられたまま引出され/引込まれながら別の収納空間を形成するが、このとき、前記補助引出し４４０に取り付けられた補助引出しドア４７１により前記補助引出し４４０の前面が遮蔽される。
【０１９３】
前記補助引出しドア４７１は、前記主引出し４６０が前記補助引出し４４０に係合し、二重引出し４００として使用されるときには、前記主引出し４６０の引出/引込を阻害しないように前記補助引出し４４０の下面に引き込まれて取り付けられる。
【０１９４】
また、前記主引出し４６０が前記補助引出し４４０から取り外されるときには、前記主引出し４６０を取り外して前記補助レール４８０に取り付けた後、前記補助引出しドア４７１を前記ドアガイド４７３から前方に引出し、引出された補助引出しドア４７１を上方に回動して前記補助引出しドア４７１の固定突起４７２を前記固定溝４７４に挿入して固定する。
【０１９５】
よって、前記主引出し４６０と補助引出し４４０とは、それぞれ独立した収納空間を形成し、前記引出し室３００の空間活用のために、再び前記主引出し４６０を前記補助引出し４４０に係合するときには、前記補助引出しドア４７１を前記した逆順で前記補助引出し４４０の下面に取り付けた後に、前記主引出し４６０を補助引出し４４０に係合して使用する。
【０１９６】
上述のような実施例では、前記主引出し４６０が前記補助引出し４４０から取り外され、それぞれ独立した収納空間で使用されるときに、前記主引出し４６０が取り付けられる補助レール４８０が前記引出し室３００の左側の上方に設けられたが、必要に応じて、前記補助レール４８０が前記引出し室３００の一側または前記冷蔵室２００の一側に設けられてもよく、各レールのサイズを同一にして何処でも使用できるように構成してもよい。
【０１９７】
図３１乃至図３４は、本発明の第８の実施例による冷蔵庫の二重引出しを説明するための図であり、図３１は、本実施例による冷蔵庫の二重引出しの構造を示す分解斜視図であり、図３２は、本実施例の要部構成の補助引出しを示す斜視図であり、図３３は、本実施例による冷蔵庫の二重引出しの要部構成の主引出しが上部引出レールに取り付けられた様子を示す側面図であり、図３４は、本実施例による冷蔵庫の二重引出しの要部構成の主引出しが下部引出レールに取り付けられた様子を示す側面図である。
【０１９８】
図３１及び図３２に示すように、本実施例による補助引出し４４０は、主引出し４６０が係合するように前記主引出し４６０よりも少し大きい引出しの形態で形成される。前記補助引出し４４０の前面は完全に開口され、前記補助引出し４４０の内側に係合した主引出し４６０が前方に容易にスライドできるようにし、前記補助引出し４４０の上面は開口され、前記主引出し４６０の内側の認識と食べ物の収納をより容易にする。
【０１９９】
また、前記補助引出し４４０の後面の上部の一側と両側壁の後端部の一側は、開口するように形成され、ガイドレール４２０の取り付けを容易にする。かつ、前記補助引出し４４０の両側壁は、下方に所定の長さだけ垂直に延長して形成される。
【０２００】
前記補助引出し４４０の両側壁の上部には、上部引出レール４５０ａが設けられる。前記上部引出レール４５０ａは、前記主引出し４６０の両側壁に設けられた第１の転がり部材４６２の転がり運動をガイドするものであり、前記第１の転がり部材４６２を収容できるように前記主引出し４６０が前記補助引出し４４０に係合したとき、前記第１の転がり部材４６２と対応する位置で外側に突設される。このとき、第１の転がり部材４６２の代わりに、主引出しの両側面に一体に形成されるスライド部材４６２´（図２３参照)を用いてもよいことは勿論である。
【０２０１】
また、前記上部引出レール４５０ａの後端部には、上部挿入部４５７ａが形成される。前記上部挿入部４５７ａは、前記第１の転がり部材４６２の挿入通路となるものであり、前記上部引出レール４５０ａの後端部から上方に開口するように形成される。
【０２０２】
よって、前記主引出し４６０を前記補助引出し４４０に係合するためには、前記主引出し４６０の両側面に設けられた前記第１の転がり部材４６２を前記補助引出し４４０の上部挿入部４５７ａに位置するようにし、前記主引出し４６０を前記上部引出レール４５０ａの内側に挿入すると、前記主引出し４６０が前記補助引出し４４０の内側に係合する。
【０２０３】
一方、前記補助引出し４４０の両側壁の下部には、下部引出レール４５０ｂが設けられる。前記下部引出レール４５０ｂは、ユーザが冷蔵庫内部の収納空間を拡張しようとするときに、前記上部引出レール４５０ａから取り外された主引出し４６０を取り付けるものであり、前記主引出し４６０の両側面に設けられた第１の転がり部材４６２が係合し転がり運動を行う。
【０２０４】
前記下部引出レール４５０ｂは、前記補助引出し４４０の前端部から後端部まで延長して形成され、前記下部引出レール４５０ｂの前端部には、下部挿入部４５７ｂが形成される。前記下部挿入部４５７ｂは、前記主引出し４６０の第１の転がり部材４６２が容易に引出され/引込まれるように前記補助引出し４４０の両側壁の前端に開口して形成される。
【０２０５】
よって、ユーザが前記上部引出レール４５０ａから取り外された前記主引出し４６０を前記下部引出レール４５０ｂに取り付けるためには、前記第１の転がり部材４６２を前記下部挿入部４５７ｂに挿入して前記主引出し４６０を後方に押し付けると、前記第１の転がり部材４６２は、前記下部引出レール４５０ｂの後端部まで転がり運動を行い、前記主引出し４６０が前記補助引出し４４０の内側に引き込まれる。
【０２０６】
また、前記下部引出レール４５０ｂのほぼ中央部には、前記主引出し４６０が前記下部引出レール４５０ｂから引出されるとき、前記主引出し４６０が十分に引出されると、前記主引出し４６０の引出しを停止できるように、前記第１の転がり部材４６２の転がり運動を制限する係止部４５８が設けられる。
【０２０７】
前記係止部４５８は、上方に所定の高さだけ突設され、前記第１の転がり部材４６２の転がり運動中に前記第１の転がり部材４６２が係止し、転がり運動が制限されるように少なくとも前記第１の転がり部材４６２の半径よりも高く形成される。
【０２０８】
前記係止部４５８で前記主引出し４６０の引出時に前記第１の転がり部材４６２が係止される部分は、前記第１の転がり部材４６２の転がり運動を効率よく制限できるように垂直に形成され、前記主引出しの取り付け時に前記第１の転がり部材４６２が接触する部分は、前記係止部４５８を第１の転がり部材４６２が効率よく越えるために所定の傾斜を有して形成される。
【０２０９】
そして、前記下部引出レール４５０ｂに取り付けられ、完全に引き込まれた前記主引出し４６０が前記下部引出レール４５０ｂから引出されるとき、前記主引出し４６０が容易に取り外されないように、前記下部引出レール４５０ｂの後端部から前記係止部４５８まで前記下部引出レール４５０ｂの上下幅は、前記第１の転がり部材４６２の径よりも少し大きく形成される。
【０２１０】
これに反し、前記下部引出レール４５０ｂの前端部から前記係止部４５８までの上下幅は、前記第１の転がり部材４６２が前記下部引出レール４５０ｂに取り付けられるとき、前記係止部４５８を効率よく越えるために、前記第１の転がり部材４６２の径よりも前記係止部４５８の高さだけさらに大きく形成される。
【０２１１】
一方、前記上部及び下部引出レール４５０ａ、４５０ｂが取り付けられた前記補助引出し４４０の両側面には、第２の転がり部材４４２が設けられる。前記第２の転がり部材４４２は、前記補助引出し４４０を後述するガイドレール４２０に沿ってスライド可能にするものであり、前記第１の転がり部材４６２と同様な構造を有する。
【０２１２】
以下、前述の冷蔵庫の二重引出しの作用を図３３及び図３４を参照して説明すると、次のようになる。
【０２１３】
図示のように、前記二重引出し４００で前記主引出し４６０が前記上部引出レール４５０ａに取り付けられて使用されるときには、前記主引出し４６０の第１の転がり部材４６２が前記上部引出レール４５０ａの内側に収容され、前記上部引出レール４５０ａの一側と接触しながら転がり運動を行う。そして、前記第１の転がり部材４６２の転がり運動により前記主引出し４６０はスライドされる。
【０２１４】
このとき、前記主引出し４６０が前記補助引出し４４０に完全に引き込まれた状態では、前記第１の転がり部材４６２が前記上部引出レール４５０ａの後端部に位置することになり、前記主引出し４６０を引出すために、前記主引出し４６０の前面に設けられた前記前面プレート４６４を前方に引っ張ると、前記第１の転がり部材４６２は、前記上部引出レール４５０ａに沿って前方に転がり運動を行い、これにより、前記主引出し４６０は、前方に引出される。
【０２１５】
そして、これと同時に、前記補助引出し４４０の第２の転がり部材４４２は、前記ガイドレール４２０の挿入部の一側と接触しながら前方に転がり運動を行い、前記ガイドレール４２０により案内されながら前記補助引出し４４０が前方に引出される。
【０２１６】
よって、前記主引出し４６０の引出に前記補助引出し４４０の引出が加えられ、前記主引出し４６０は、前記引出し室３００（図３参照)の内部からより一層外側に突出し、外部に露出された前記主引出し４６０の開口した上方を介して食べ物を収納したり、取り出したりする。
【０２１７】
また、前記二重引出し４００の引き込みのために、前記主引出し４６０の前面プレート４６４を後方に押し付けると、前記第１の転がり部材４６２は、前記上部引出レール４５０ａに沿って後方に転がり運動を行い、前記第２の転がり部材４４２は、前記ガイドレール４２０に沿って後方に転がり運動を行う。これにより、前記主引出し４６０と補助引出し４４０とは、後方に完全に引き込まれる。
【０２１８】
一方、別の貯蔵空間を必要とするか、分離して収納する必要がある食べ物を収納するためには、前記主引出し４６０を前記補助引出し４４０の下部に取り付けて前記補助引出し４４０と主引出し４６０とを何れも食べ物の収納に必要な空間として活用する。
【０２１９】
これをより詳しく説明すると、一旦、前記主引出し４６０を前記上部引出レール４５０ａから取り外すために、前記主引出し４６０が完全に引き込まれて前記第１の転がり部材４６２が前記上部引出レール４５０ａの後端部に位置するように、前記主引出し４６０を後方に押し付ける。
【０２２０】
前記第１の転がり部材４６２が前記上部引出レール４５０ａの後方に達したときに、前記主引出し４６０を上方に持ち上げる。このとき、前記第１の転がり部材４６２は、前記上部引出レール４５０ａの後端部に形成された上部挿入部４５７ａを通過して外側に抜け出し、これにより、前記主引出し４６０は、前記補助引出し４４０から取り外される。
【０２２１】
次に、取り外された主引出し４６０を前記補助引出し４４０の下側の前方に移動した後、前記補助引出し４４０の両側壁の前方に開口するように形成された下部挿入部４５７ｂに前記主引出し４６０の第１の転がり部材４６２を挿入する。
【０２２２】
前記第１の転がり部材４６２を前記下部挿入部４５７ｂに挿入して前記下部引出レール４５０ｂに取り付けた後、前記主引出し４６０を後方に押し付けると、前記第１の転がり部材４６２が自然に後方に転がり運動を行いながら前記下部引出レール４５０ｂの内側に設けられた係止部４５８を越えて前記下部引出レール４５０ｂの後端部に位置することになり、前記主引出し４６０の前記下部引出レール４５０ｂへの取り付けが終了する。
【０２２３】
このように、前記主引出し４６０が前記下部引出レール４５０ｂに取り付けられると、前記補助引出し４４０の上部は、独立したトレイであって収納空間として活用され、前記主引出し４６０は、前記補助引出し４４０の下部で別の収納空間を形成する。
【０２２４】
一方、前記主引出し４６０が下部引出レール４５０ｂに取り付けられたとき、前記主引出し４６０を引出すために、前記前面プレート４６４を把持して前方に引っ張ると、前記第１の転がり部材４６２が前記下部引出レール４５０ｂの内側から前方に転がり運動を行い、前記主引出し４６０が前方に引出される。
【０２２５】
また、前記第１の転がり部材４６２は、前記下部引出レール４５０ｂの内側の係止部４５８まで転がり運動を行い、前記係止部４５８と第１の転がり部材４６２とが接触すると、前記第１の転がり部材４６２の転がり運動が前記係止部４５８により制限され、よって、前記主引出し４６０の引出が停止する。
【０２２６】
これと同時に、前記補助引出し４４０の第２の転がり部材４４２は、前記ガイドレール４２０の収容部４２２と接触しながら前方に転がり運動を行い、これにより、前記補助引出し４４０が前方に引出される。
【０２２７】
前記補助引出し４４０の前方への引出により前記主引出し４６０は、より一層外部に引出され、前記補助引出し４４０の一側、すなわち、トレイとしての役割を果たす部分が外部に露出され、前記主引出し４６０も前記下部引出レール４５０ｂに沿って引出され、外部に露出される。よって、ユーザは、前記補助引出し４４０のトレイと主引出し４６０とに食べ物を収納することが可能となる。
【０２２８】
前記二重引出し４００の引き込みのために、前記前面プレート４６４を後方に押し付けると、前記した逆順で前記二重引出しが引き込まれる。
【０２２９】
一方、前記主引出し４６０を下部引出レール４５０ｂから取り外して前記上部引出レール４５０ａに再び取り付けるためには、前記主引出し４６０を前方に引出して前記第１の転がり部材４６２が前記係止部４５８に位置すると、前記主引出し４６０が上方に所定の高さだけ上がって再び前方に引出せる。
【０２３０】
前記主引出し４６０が前記係止部４５８を越えて引出され続けると、前記第１の転がり部材４６２が前記下部引出レール４５０ｂの前面の下部挿入部４５７ｂを通って外側に抜き出され、これにより、前記主引出し４６０が補助引出し４４０から取り外される。
【０２３１】
次に、前記主引出し４６０が前記補助引出し４４０の上方に移動した後に、前記第１の転がり部材４６２を前記上部引出レール４５０ａの後端部に形成された上部挿入部４５７ａに挿入する。前記第１の転がり部材４６２が前記上部挿入部４５７ａに挿入されると、前記第１の転がり部材４６２は、前記上部引出レール４５０ａの後端部に位置することになり、よって、前記主引出し４６０が前記補助引出し４４０の内側に係合する。
【０２３２】
図３５乃至図３７は、本発明の第９の実施例による冷蔵庫の二重引出しを説明するための図であり、図３５は、本実施例による冷蔵庫の二重引出しの構造を示す分解斜視図であり、図３６は、本実施例の要部構成の補助引出しを示す斜視図であり、図３７は、本実施例による冷蔵庫の二重引出しの作動を概略的に示す概要図である。
【０２３３】
図３５乃至図３７に示すように、本実施例の補助引出し４４０の前面は完全に開口し、前記補助引出し４４０の内側に係合した主引出し４６０が前方に容易にスライドできるようにし、前記主引出し４６０の内側の認識と食べ物の収納をより容易にする。
【０２３４】
また、前記補助引出し４４０の内側には、前記補助引出し４４０を前後に仕切る仕切り板４４５が設けられる。前記仕切り板４４５は、前記補助引出し４４０の底面から上方に垂直に突出され、前記補助引出し４４０の所定の高さまで延長して形成される。
【０２３５】
前記補助引出し４４０の底面の前端部から前記仕切り板４４５までの長さは、前記主引出し４６０の底面の前端部から後端部までの長さよりも大きくならないように形成される。よって、前記主引出し４６０が前記補助引出し４４０に係合した後、後方に引き込まれるときに、前記主引出し４６０の後面が前記仕切り板４４５と接触するように形成される。
【０２３６】
このとき、前記仕切り板４４５は、前記主引出し４６０に流入する冷気の流入を円滑にするために、前記主引出し４６０の後方壁に形成された冷気流入口４６６を全て遮蔽しない高さで形成される。
【０２３７】
そして、前記補助引出し４４０の底面の後端部から前記仕切り板４４５までの長さは、用途に合わせて任意の長さで設定することができ、前記仕切り板４４５により前記仕切り板４４５の後側の前記補助引出し４４０の内側には、別の貯蔵空間Ｓが形成され、分離して保存する必要がある食べ物を貯蔵する。
【０２３８】
一方、前記補助引出し４４０の両側壁には、引出レール４５０が設けられる。前記引出レール４５０は、前記主引出し４６０の両側面に設けられた第１の転がり部材４６２の転がり運動をガイドするものであり、前記補助引出し４４０の両側壁の前端部から前記仕切り板４４５が設けられた位置まで延長して形成される。
【０２３９】
前記引出レール４５０の前端部には、前記第１の転がり部材４６２の挿入通路となる挿入口４５７´が形成される。前記挿入口４５７´は、前記補助引出し４４０の前面で開口するように形成され、前記第１の転がり部材６２が容易に挿入できるように前記第１の転がり部材４６２の直径よりも少し大きく形成される。
【０２４０】
また、前記引出レール４５０の内部には、係止部４５８が設けられる。前記係止部４５８は、前記主引出し４６０の引出しが終了したとき、前記主引出し４６０がそれ以上引き出されないように前記第１の転がり部材４６２の転がり運動を制限するものであり、上方に所定の高さだけ突設される。
【０２４１】
ところで、前記引出レール４５０が取り付けられた前記補助引出し４４０の両側面には、第２の転がり部材４４２が設けられる。前記第２の転がり部材４４２は、前記補助引出し４４０を後述するガイドレール４２０に沿ってスライド可能にするものであり、前記第１の転がり部材４６２と同様な構造を有する。
【０２４２】
前記第２の転がり部材４４２は、前記補助引出し４４０の両側面の後端部の上側、すなわち、前記引出レール４５０の上方に設けられる。かつ、前記第２の転がり部材４４２が取り付けられた位置から前記補助引出し４４０の前端部までスライドガイド４４４が設けられる。
【０２４３】
前記スライドガイド４４４は、前記補助引出し４４０が引出され/引込まれるとき、前記補助引出し４４０が垂れ下がらないようにするものであり、所定の幅を有して外側に突設される。
【０２４４】
前記補助引出し４４０は、ガイドレール４２０に取り付けられる。前記ガイドレール４２０は、前記補助引出し４４０のスライドをガイドするものであり、前記冷蔵庫本体１００の左右側、より詳しくは前記引出し室３００（図３参照)の上部の左右側面にそれぞれ設けられる。
【０２４５】
前記ガイドレール４２０は、横に長い四角形板からなり、前記ガイドレール４２０の中央部には、前記ガイドレール４２０の横方向に沿って長く形成された突出部４２４と収容部４２２とが設けられる。
【０２４６】
前記突出部４２４は、前記ガイドレール４２０の外周縁に沿って所定の距離だけ内側に突設されたものであり、所定の幅を有して形成される。よって、前記突出部４２４が形成する部分の内側には、窪んで形成された収容部４２２が自然に形成され、前記収容部４２２の形状は、前記突出部４２４の形状によって決定される。
【０２４７】
前記収容部４２２は、前記第２の転がり部材４４２が接触しながら転がり運動を行うものであり、前記第２の転がり部材４４２が安定して転がり運動を行いながら移動できるように所定の幅を有して形成される。
【０２４８】
前述の冷蔵庫の二重引出しの作用を図３７を参照して説明すると、次のようになる。
ユーザにより、主引出し４６０が前方に完全に引出されると、前記補助引出し４４０まで前方に引出されるが、前記引き出された補助引出し４４０の後面に前記仕切り板４４５で仕切られた別の貯蔵空間Ｓまで外部に露出し、前記貯蔵空間Ｓに別の分類が必要な食べ物を貯蔵できる。
【０２４９】
前記主引出し４６０または前記仕切り板４４５により形成された前記補助引出し４４０の内側の貯蔵空間Ｓに食べ物を収納したり、取り出したりした後に、前記二重引出し４００を引き込むためには、前記前面プレート４６４を把持した後、後方に押し付けると、前記第１の転がり部材４６２が前記引出レール４５０の内部で後方に転がり運動を行う。
【０２５０】
前記第１の転がり部材４６２が転がり運動を通して前記引出レール４５０の後端部まで転がり運動を行うと、前記主引出し４６０の後面が前記仕切り板４４５と接触し、ユーザが持続的に後方に押し付けると、前記補助引出し４４０に取り付けられた前記第２の転がり部材４４２が前記ガイドレール４２０に沿って転がり運動を行い、前記補助引出し４４０を引き込ませる。
【０２５１】
よって、前記主引出し４６０と補助引出し４４０とは完全に前記引出し室３００の内側に引き込まれ、前記仕切り板４４５により形成される前記補助引出し４４０の内側の貯蔵空間Ｓも前記引出し室３００の内側に引き込まれる。
【０２５２】
以上のように、実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【０２５３】
【図１】従来の技術による冷蔵庫の引出し式ドアの開放状態を示す斜視図である。
【図２】従来の技術による冷蔵庫の引出しの構造を示す部分斜視図である。
【図３】本発明による二重引出しが採用された冷蔵庫のドアの開放状態を示す斜視図である。
【図４】本発明の第１の実施例による冷蔵庫の二重引出しの構造を示す分解斜視図である。
【図５】図４に示す冷蔵庫の二重引出しの引き込み状態を示す斜視図である。
【図６】図４及び図５に示す冷蔵庫の二重引出しにおける補助引出しが引出された状態を示す斜視図である。
【図７】図４及び図５に示す冷蔵庫の二重引出しにおける補助引出しと主引出しとが何れも引出された状態を示す斜視図である。
【図８】図４乃至図７に示す冷蔵庫の二重引出しの作用を説明するための断面図であり、補助引出し/主引出しが順次引出される状態を示す断面図である。
【図９】図４乃至図７に示す冷蔵庫の二重引出しの作用を説明するための断面図であり、補助引出し/主引出しが順次引出される状態を示す断面図である。
【図１０】図４乃至図７に示す冷蔵庫の二重引出しの作用を説明するための断面図であり、補助引出し/主引出しが順次引出される状態を示す断面図である。
【図１１】図４乃至図７に示す冷蔵庫の二重引出しの作用を説明するための断面図であり、補助引出し/主引出しが順次引出される状態を示す断面図である。
【図１２】本発明の第２の実施例による冷蔵庫の二重引出しを示す分解斜視図である。
【図１３】図１２に示す冷蔵庫の二重引出しから取り外された補助引出しを個別に示す斜視図である。
【図１４】図１２及び図１３に示す冷蔵庫の二重引出しの補助引出しの構造を変更した変形実施例による斜視図である。
【図１５】本発明の第３の実施例により主引出しが補助引出しの前端で取り付けることのできる冷蔵庫の二重引出しを示す分解斜視図である。
【図１６】図１５に示す冷蔵庫の二重引出しから取り外された補助引出しを個別に示す斜視図である。
【図１７】図１５及び図１６に示す冷蔵庫の二重引出しの作用を説明するための断面図である。
【図１８】図１５及び図１６に示す冷蔵庫の二重引出しの作用を説明するための断面図である。
【図１９】本発明の第４の第４の実施例による冷蔵庫の二重引出しから取り外された主引出しの底面を示す底面斜視図である。
【図２０】本発明の第５の実施例により補助引出しと主引出しとの間の衝突を緩和する構造の冷蔵庫の二重引出しを示す分解斜視図である。
【図２１】図２０に示す冷蔵庫の二重引出しの作用を説明するために示す断面図である。
【図２２】図２０に示す冷蔵庫の二重引出しの作用を説明するために示す断面図である。
【図２３】本発明の第６の実施例による冷蔵庫の二重引出しを示す分解斜視図である。
【図２４】図２３に示す冷蔵庫の二重引出しから取り外された補助引出しを示す斜視図である。
【図２５】図２３及び図２４に示す冷蔵庫の二重引出しの作用を説明するために示す断面図である。
【図２６】本発明の第７の実施例による冷蔵庫の二重引出しを示す分解斜視図である。
【図２７】図２６に示す冷蔵庫の二重引出しから取り外された補助引出しを示す底面斜視図である。
【図２８】図２６に示す冷蔵庫の二重引出しから取り外された補助引出しを示す部分側面図であり、見えない部分を点線で表した図である。
【図２９】図２６に示す冷蔵庫の二重引出しが採用された冷蔵庫を示す斜視図であり、補助引出しが異なる位置に取り付けられている冷蔵庫の二重引出しを示す斜視図である。
【図３０】図２６に示す冷蔵庫の二重引出しが採用された冷蔵庫を示す斜視図であり、補助引出しが異なる位置に取り付けられている冷蔵庫の二重引出しを示す斜視図である。
【図３１】本発明の第８の実施例による冷蔵庫の二重引出しを示す分解斜視図であり、補助引出しの取り付け位置が多様な冷蔵庫の二重引出しを示す分解斜視図である。
【図３２】図３１に示す冷蔵庫の二重引出しから取り外された補助引出しを示す斜視図である。
【図３３】図３１乃至図３２に示す冷蔵庫の二重引出しの作用を説明するための断面図である。
【図３４】図３１乃至図３２に示す冷蔵庫の二重引出しの作用を説明するための断面図である。
【図３５】本発明の第９の実施例により仕切り板が設けられた補助引出しを備えた冷蔵庫の二重引出しを示す分解斜視図である。
【図３６】図３５の冷蔵庫の二重引出しから取り外された補助引出しを示す斜視図である。
【図３７】図３５及び図３６に示す冷蔵庫の二重引出しの作用を説明するための断面図である。
【符号の説明】
【０２５４】
１００    冷蔵庫本体
２００    冷蔵室
３００    引出し室
【図１】
2006078168.tif 000003
【図２】
2006078168.tif 000004
【図３】
2006078168.tif 000005
【図４】
2006078168.tif 000006
【図５】
2006078168.tif 000007
【図６】
2006078168.tif 000008
【図７】
2006078168.tif 000009
【図８】
2006078168.tif 000010
【図９】
2006078168.tif 000011
【図１０】
2006078168.tif 000012
【図１１】
2006078168.tif 000013
【図１２】
2006078168.tif 000014
【図１３】
2006078168.tif 000015
【図１４】
2006078168.tif 000016
【図１５】
2006078168.tif 000017
【図１６】
2006078168.tif 000018
【図１７】
2006078168.tif 000019
【図１８】
2006078168.tif 000020
【図１９】
2006078168.tif 000021
【図２０】
2006078168.tif 000022
【図２１】
2006078168.tif 000023
【図２２】
2006078168.tif 000024
【図２３】
2006078168.tif 000025
【図２４】
2006078168.tif 000026
【図２５】
2006078168.tif 000027
【図２６】
2006078168.tif 000028
【図２７】
2006078168.tif 000029
【図２８】
2006078168.tif 000030
【図２９】
2006078168.tif 000031
【図３０】
2006078168.tif 000032
【図３１】
2006078168.tif 000033
【図３２】
2006078168.tif 000034
【図３３】
2006078168.tif 000035
【図３４】
2006078168.tif 000036
【図３５】
2006078168.tif 000037
【図３６】
2006078168.tif 000038
【図３７】
2006078168.tif 000039